(57)【要約】【課題】薄型フラットスピーカーの改善に関するもので、安価、堅牢な薄型フラットスピーカーを提供する。【解決手段】独立気泡の低発泡ポリエチレンを芯材１１１とし、該芯材１１１の表裏にアルミニウムの面材１１２，１１３を接合した、総厚が１．５ｍｍ〜６．０ｍｍのアルミニウムと低発泡ポリエチレンの積層複合板を振動板１１０とし、該振動板１１０の表裏いずれか一方に、該振動板１１０に音響電気信号に応じて振動を与える振動付与部１２０を固着した安価、堅牢な薄型フラットスピーカー装置である。【選択図】　　　　図１
2004064726.tif 000002
【特許請求の範囲】
【請求項１】
独立気泡の低発泡ポリエチレンを芯材とし、該芯材の表裏に、アルミニウムの面材を接合した、総厚が１．５ｍｍ〜６．０ｍｍのアルミニウムと低発泡ポリエチレンの積層複合板を振動板とし、該振動板の表裏いずれか一方に該振動板に音響電気信号に応じて振動を与える振動付与部を固着したことを特徴とする薄型フラットスピーカー装置。
【請求項２】
独立気泡の低発泡ポリエチレンを芯材とし、該芯材の表裏に、ステンレススチールの面材を接合した、総厚が１．２ｍｍ〜４．０ｍｍのステンレススチールと低発泡ポリエチレンの積層複合板を振動板とし、該振動板の表裏いずれか一方に該振動板に音響電気信号に応じて振動を与える振動付与部を固着したことを特徴とする薄型フラットスピーカー装置。
【請求項３】
裏面板と、当該裏面板と所定間隔隔てて対向配置されかつ透光性を有した掲示板と、前記裏面板と前記掲示板との間に介装された照明手段を有し、前記裏面板が請求項１又は請求項２に記載の薄型フラットスピーカー装置であることを特徴とする掲示板。
【請求項４】
一部に取っ手を有し収納物を運搬可能なケースにおいて、前記ケースの少なくとも一部が請求項１又は請求項２に記載の薄型フラットスピーカー装置から構成されていることを特徴とするケース。
【請求項５】
請求項１又は請求項２に記載の薄型フラットスピーカー装置と、前記薄型フラットスピーカー装置の振動板の周囲に直接取り付けられたフレームと、前記フレームの一部に連結された支持台とを設けたことを特徴とする、自立型フラットスピーカー装置。
【請求項６】
請求項１又は請求項２に記載の薄型フラットスピーカー装置と、前記薄型フラットスピーカー装置の振動板の周囲に弾性体を介して間接的に取り付けられたフレームと、前記フレームの一部に連結された支持台とを設けたことを特徴とする、自立型フラットスピーカー装置。
【請求項７】
請求項１又は請求項２に記載の薄型フラットスピーカー装置と、ディスプレイ本体と、前記薄型フラットスピーカー装置の振動板の周囲の一部を前記ディスプレイ本体側面に弾性体を介して取り付ける取付けフレームと、前記薄型フラットスピーカー装置の振動板の周囲の残りの部分を直接固定するフレームとを備えたことを特徴とするディスプレイ装置。
【請求項８】
請求項１又は請求項２に記載の薄型フラットスピーカー装置と、ディスプレイ本体と、前記薄型フラットスピーカー装置の振動板の周囲の一部を前記ディスプレイ本体側面に弾性体を介して取り付ける取付けフレームと、前記薄型フラットスピーカー装置の振動板の周囲の残りの部分を弾性体を介して固定するフレームとを備えたことを特徴とするディスプレイ装置。
【請求項９】
請求項１又は請求項２に記載の薄型フラットスピーカー装置と、前記薄型フラットスピーカー装置の振動板の周囲に直接取り付けられたフレームとを備え、前記フレームが前記薄型フラットスピーカー装置の振動板の端部を挟持する挟持部と前記挟持部から延設した壁取付用延在部とを有することを特徴とする、壁取付型フラットスピーカー装置。
【請求項１０】
請求項１又は請求項２に記載の薄型フラットスピーカー装置と、前記薄型フラットスピーカー装置の振動板の周囲に弾性体を介して間接的に取り付けられたフレームとを備え、前記フレームが前記薄型フラットスピーカー装置の振動板の端部を挟持する挟持部と前記挟持部から延設した壁取付用延在部とを有することを特徴とする、壁取付型フラットスピーカー装置。
【請求項１１】
一部に取っ手を有し、収納物を運搬可能なケースにおいて、前記ケースの、リッドの外板の少なくとも一部に音波を通す透孔が明けられ、該透孔に対面して請求項１または請求項２に記載の薄型フラットスピーカ装置が設けられ、該薄型スピーカ装置が取付けられた支持基板をケース内側に脱着可能に取付けたことを特徴とするケース。
【発明の詳細な説明】
【０００１】
【発明が属する技術分野】
本発明は薄型フラットスピーカーの改善に関し、より詳細には安価でかつ堅牢な薄型フラットスピーカー及びこれを利用した種々のアプリケーションに関する。
【０００２】
【従来の技術及び発明が解決しようとする課題】
薄型フラットスピーカーに利用される振動板の従来技術としては以下のものがある。
【０００３】
まず最初に、特開２００２−４４７８２号公報「電気音響変換器用振動板」があげられる。当該公報には、低密度ポリエチレンシート、紙材、高密度ポリエチレンシートをラミネートし、紙材中の水分を利用して低密度ポリエチレンシートを発泡させる発泡構造の振動板を得るものが開示されている。
【０００４】
しかしながら、ここで開示された振動板は芯材が紙材で、表裏に低密度ポリエチレンシートを発泡した層と高密度ポリエチレンシートとを用いたものであり、スピーカー材として専用品にならざるを得ない上、剛性も比較的低く、機械的強度も低い欠点を有する。
【０００５】
続いて、特開２００１−３１３９９３号公報「薄型平板スピーカーの振動板」があげられる。当該公報には、発泡ポリウレタン層の芯材の上下（表裏）に、ガラス繊維を含んだ剛性を有する補強材とその上下（表裏）にホットメルトフィルムを介して、振動板が傷つかないようにしたポリエステル不織布やアルミ等の（表面材として振動板の表面を保護する必要性故）硬度が高く、（トランスデューサ即ち駆動装置を接着する必要性故）接着性の良い表面材を設けた厚さ２．０ｍｍ〜３．０ｍｍの積層板が開示されている。しかしながら、ここで開示された振動板は構成部材が多く、コスト高となる。
【０００６】
一方、薄型フラットスピーカーのアプリケーションに関する従来例もいくつかあげることができる。
【０００７】
具体的には、薄型フラット型スピーカーの表面に装飾用シートを設けるか、振動板を装飾用シート等に用いるようにしたものとして次のものが公知である。
▲１▼　特開２０００−１２５３９０号公報「パネル型スピーカー」
当該公報においては、振動板は発泡スチロールで５．０ｍｍ程度の厚みを有し、その振動板の前に装飾用シートを貼るようにしたスピーカーが提案されている。
【０００８】
しかしながら、このパネル型スピーカーの場合、振動板の前に設けられた装飾用シートが空気と接しており、該装飾用シートが空気を振動させて振動板からの音と重なって装飾用シートからも音を発生する恐れや、振動板の振動が前面の装飾用シートで減衰されてしまう恐れもある。すなわち、振動板のもつ音響特性が減じられてしまうことが考えられ、用途が限定される。
【０００９】
また、振動板が不透明でその前面に装飾用シートを張るため、照明を必要とする広告等の掲示板に用いる場合は、装飾用シートの上、下、左、右のいずれかの側脇に照明灯を設けて照明せざるを得ず、薄型フラットスピーカーを用いても突起物ができて、その利用が制限されることになる。
▲２▼　特開２００２−２７５８８号公報「パネル型スピーカーシステム」
当該公報においては、前後に相対向して配置される一対の平板状の振動板と、これら振動板の間に介装される単数又は、複数のエキサイターとを備えるスピーカーが提案され、その振動板の表面を広告看板や映写面、ホワイトボードとした構成が開示されている。
▲３▼　特開２００１−３５９１８８号公報「駆動ユニット及びこれを備えたパネルスピーカー」
当該公報においては、ボイスコイル、磁気ギャップを有した振動を付与する駆動ユニットと、この駆動ユニットにより振動される振動板とが開示され、カーボンやケプラー等の高硬度、耐衝撃性に優れた素材からなるフィルム状の表層振動部材とハニカム層や発泡層を有したハニカム構造の芯材とから成されている振動板が開示されている。
【００１０】
しかしながら、これら▲２▼，▲３▼の公報に記載されたものは、振動板が不透明で、▲１▼の公報に記載された構成と同様、照明を必要とする用途の場合、同様の欠点を持つものである。
【００１１】
また、振動板にカーボンやケプラー、あるいはハニカムを用いており、多数の構成部品を有し、高価な材料からなっており高価なものになる欠点もある。
【００１２】
また、振動板を透明樹脂としその振動板の裏面に装飾用シートやディスプレイを配して、これら装飾用シートやディスプレイが透明樹脂の振動板を通して見えるようにしたものとして、特開２００１−１９７５９６号公報「オーディオ・トランデューサ及びオーディオ・ビジュアル装置」が公知である。
【００１３】
しかしながら、かかる公報に記載された従来技術の場合、透明な作動ダイヤフラム及び透明な固定子を用い、空気を振動する透明ポリエステル・フィルムには導電性コーティングをすることを必要とする。しかも、このフィルムはフィルムに残留張力を残すように引っ張りながら装着するなど加工、組立が難しい。更には、前記フィルムに機械的損傷を受けないように保護する金属グリット等の保護部材を、透視可能かつ音波通過可能に設けなければならないので、構成部材が多く複雑な構造となる欠点がある。
【００１４】
一方、機器の筐体の一部をスピーカーとしたものとして特開平１１−３３１９６５号公報「情報処理装置及び該装置に適用可能なスピーカーユニット」が公知である。
【００１５】
このスピーカーユニットは、筐体の振動領域をそれ以外の領域よりも薄く形成したものである。しかしながら、一部を薄く形成するので、放音面の小さい振動板しか得られない。また、筐体の材質によって音響特性の良いものを得ることができない恐れもある。更にまた、一部を薄くしなければならないので、樹脂で射出成型またはブロー成型する必要があり成形性と音響特性の両立が難しく、振動板として適さない音響特性の良くない材質に限定される恐れもある。
【００１６】
また、天井、壁パネル等の構造部材を振動させてスピーカーとするものとして、特開２００１−１５７６４２号公報「浴室の音響再生装置」が公知である。
【００１７】
この浴室の音響再生装置は、交流信号がボイスコイルユニットに供給され、ボイスコイルユニットで誘起される磁束でマグネットとアウターポール等が振動し、この振動がサスペンションを介してベース及びフレームに伝達され、天井、壁パネルやバスタブのエプロン等合成樹脂の構造部材を振動させるものである。
【００１８】
しかしながら、前記特開２０００−１２５３９０号公報に述べたものと同様に、振動を発するフレームの前面にある天井、壁パネルやバスタブのエプロン等合成樹脂の構造部材が空気と接しており、この構造部材が空気を振動させて音を発する振動板として機能するため、この合成樹脂の構造部材によってベースまたはフレームの振動が減衰されてしまう恐れやこの構造部材の材質は成型性を考慮して選択せざるを得ず、材質が限定されるため音響特性の良いものを得ることができない恐れもある。
【００１９】
本発明の目的は上述の問題点を全て解決することのできる安価でかつ堅牢な薄型フラットスピーカー及びこれを利用した種々のアプリケーションを提供することにある。
【００２０】
【課題を解決するための手段】
上記課題を解決するために、本発明にかかる薄型フラットスピーカー装置は、独立気泡の低発泡ポリエチレンを芯材とし、該芯材の表裏に、アルミニウムの面材を接合した、総厚が１．５ｍｍ〜６．０ｍｍのアルミニウムと低発泡ポリエチレンの積層複合板を振動板とし、該振動板の表裏いずれか一方に該振動板に音響電気信号に応じて振動を与える振動付与部を固着したことを特徴としている。
【００２１】
振動板の表裏はアルミニウムであり、芯材が独立気泡の低発泡ポリエチレンであって表裏方向の貫通孔が無く、平滑で美観があり、性能の劣化を防ぎかつ剛性が高い上、接着性が良い。また、芯材は独立気泡の低発泡ポリエチレンであり、独立の気泡孔を有し低密度で疎となっており、軽量で剛性も高い上、表裏のアルミニウムの波打ちを抑えフラットで滑らかな表面を形成している。これにより、振動板全体としては、密度が低く、軽量かつ、曲げ、剛性が高い構造体で、表裏方向の貫通孔がないという機械的性質を有しているので高性能の薄型フラットスピーカー装置となる。また、振動板にアルミニウムと低発泡ポリエチレンを使用しているので材料を容易に得ることができ、安価な薄型フラットスピーカー装置となる。
【００２２】
また、本発明の請求項２にかかる薄型フラットスピーカー装置は、　独立気泡の低発泡ポリエチレンを芯材とし、該芯材の表裏に、ステンレススチールの面材を接合した、総厚が１．２ｍｍ〜４．０ｍｍのステンレススチールと低発泡ポリエチレンの積層複合板を振動板とし、該振動板の表裏いずれか一方に該振動板に音響電気信号に応じて振動を与える振動付与部を固着したことを特徴としている。
【００２３】
請求項１に記載の薄型フラットスピーカー装置と同様に、高性能の薄型フラットスピーカー装置となるとともに材料が容易に得られ安価で剛性が高く堅牢な薄型フラットスピーカー装置となる。
【００２４】
また、本発明の請求項３にかかる掲示板は、裏面板と、当該裏面板と所定間隔隔てて対向配置されかつ透光性を有した掲示板と、前記裏面板と前記掲示板との間に介装された照明手段を有し、前記裏面板が請求項１又は請求項２に記載の薄型フラットスピーカー装置であることを特徴としている。
【００２５】
かかる掲示板には、照明手段側に振動板のアルミニウムの面材またはステンレススチールの面材が面しているため、照明手段の光をアルミニウムの面材またはステンレススチールの面材が反射し、透光性を有した掲示板からフラットで均一な反射間接光が掲示物に照射され見る者に美観を起こさせるとともに、照明手段を内蔵しているため掲示板の外部に照明手段を設けなくても良く、外部に突起物のない外観がシンプルであり、取扱い性に優れるものとなる。また、裏面板に請求項１又は請求項２に記載の薄型フラットスピーカー装置の振動板を使用しているので、音は掲示板の裏面から放音され、振動板の放音面の前に掲示物がないため良い音を発生することができる。また、請求項１または請求項２の薄型フラットスピーカー装置と同様に、材料が容易に得られ安価で剛性が高く堅牢な掲示板となる。また、振動板の表裏には表裏方向の貫通孔がないという構成を有している。そのため、掲示パネル等に設けたスピーカー装置の内外で温度差が生じる等により空気の移動が起こったとき、ゴミ、ホコリが従来の振動板のように貫通孔にたまって汚れの原因となるのを防ぐ。
【００２６】
また、本発明の請求項４にかかるケースは、一部に取っ手を有し収納物を運搬可能なケースにおいて、前記ケースの少なくとも一部が請求項１又は請求項２に記載の薄型フラットスピーカー装置から構成されていることを特徴としている。
【００２７】
上述の請求項に記載の薄型フラットスピーカー装置や掲示板と同様に、材料が容易に得られ安価で剛性が高く堅牢なケースとなる。また、振動板をケースの外板や内底板と兼用でき、堅牢で良い音を発するケースになる。
【００２８】
また、本発明の請求項５にかかる自立型フラットスピーカー装置は、請求項１又は請求項２に記載の薄型フラットスピーカー装置と、前記薄型フラットスピーカー装置の振動板の周囲に直接取り付けられたフレームと、前記フレームの一部に連結された支持台とを設けたことを特徴としている。
【００２９】
上述の請求項に記載の薄型フラットスピーカー装置や掲示板、ケースと同様に、材料が容易に得られ安価で剛性が高く堅牢な自立型フラットスピーカー装置となる。また、フレームが振動板の周囲を覆い見栄えが良い。
【００３０】
また、本発明の請求項６にかかる自立型フラットスピーカー装置は、請求項１又は請求項２に記載の薄型フラットスピーカー装置と、前記薄型フラットスピーカー装置の振動板の周囲に弾性体を介して間接的に取り付けられたフレームと、前記フレームの一部に連結された支持台とを設けたことを特徴としている。
【００３１】
請求項５にかかる自立型フラットスピーカー装置と同様に、材料が容易に得られ安価で剛性が高く堅牢な自立型フラットスピーカー装置となる。また、フレームが振動板の周囲を覆い見栄えが良い。
【００３２】
また、本発明の請求項７にかかるディスプレイ装置は、請求項１又は請求項２に記載の薄型フラットスピーカー装置と、ディスプレイ本体と、前記薄型フラットスピーカー装置の振動板の周囲の一部を前記ディスプレイ本体側面に弾性体を介して取り付ける取付けフレームと、前記薄型フラットスピーカー装置の振動板の周囲の残りの部分を直接固定するフレームとを備えたことを特徴としている。
【００３３】
上述の請求項に記載の薄型フラットスピーカー装置や掲示板、ケース、自立型フラットスピーカー装置と同様に、材料が容易に得られ安価で剛性が高く堅牢なディスプレイ装置となる。また、フレームが振動板の周囲を覆い見栄えが良い。
【００３４】
また、本発明の請求項８にかかるディスプレイ装置は、請求項１又は請求項２に記載の薄型フラットスピーカー装置と、ディスプレイ本体と、前記薄型フラットスピーカー装置の振動板の周囲の一部を前記ディスプレイ本体側面に弾性体を介して取り付ける取付けフレームと、前記薄型フラットスピーカー装置の振動板の周囲の残りの部分を弾性体を介して固定するフレームとを備えたことを特徴としている。
【００３５】
請求項７に記載の自立型フラットスピーカー装置と同様に、材料が容易に得られ安価で剛性が高く堅牢なディスプレイ装置となる。また、フレームが振動板の周囲を覆い見栄えが良い。
【００３６】
また、本発明の請求項９にかかる壁取付型フラットスピーカー装置は、請求項１又は請求項２に記載の薄型フラットスピーカー装置と、前記薄型フラットスピーカー装置の振動板の周囲に直接取り付けられたフレームとを備え、前記フレームが前記薄型フラットスピーカー装置の振動板の端部を挟持する挟持部と前記挟持部から延設した壁取付用延在部とを有することを特徴としている。
【００３７】
上述の請求項に記載の薄型フラットスピーカー装置や掲示板、ケース、自立型フラットスピーカー装置、ディスプレイ装置と同様に、材料が容易に得られ安価で剛性が高く堅牢な壁取付型フラットスピーカー装置となる。また、フレームが振動板の周囲を覆い見栄えが良い。さらに、フレームを介して薄型フラットスピーカー装置を壁に容易に取り付けることができる。
【００３８】
また、本発明の請求項１０にかかる壁取付型フラットスピーカー装置は、請求項１又は請求項２に記載の薄型フラットスピーカー装置と、前記薄型フラットスピーカー装置の振動板の周囲に弾性体を介して間接的に取り付けられたフレームとを備え、前記フレームが前記薄型フラットスピーカー装置の振動板の端部を挟持する挟持部と前記挟持部から延設した壁取付用延在部とを有することを特徴としている。
【００３９】
請求項９にかかる壁取付型フラットスピーカー装置と同様に、材料が容易に得られ安価で剛性が高く堅牢な壁取付型フラットスピーカー装置となる。また、フレームが振動板の周囲を覆い見栄えが良い。さらに、フレームを介して薄型フラットスピーカー装置を壁に容易に取り付けることができる。
【００４０】
また、本発明の請求項１１に記載のケースは、一部に取っ手を有し、収納物を運搬可能なケースにおいて、ケースの、リッドの外板の少なくとも一部に音波を通す透孔が明けられ、該透孔に対面して請求項１または請求項２に記載の薄型フラットスピーカ装置が設けられ、該薄型スピーカ装置が取付けられた支持基板をケース内側に脱着可能に取付けたことを特徴としている。
【００４１】
スピーカ装置部分については、材料が容易に得られ安価で剛性が高く堅牢な薄型スピーカとすることができる。また、スピーカ装置部分はケース内側に設けられケース外板に明けられた透孔を介して音波を外部に放音するものであるため、スピーカ装置部を保護することができる。
【００４２】
また、スピーカ装置部分を、これを取付けた支持基板と共に脱着できるため、スピーカとして使用しないときはスピーカ装置部分と支持基板を取外してケースとして収納部分を拡げて、また軽量化して使用することができる。
【００４３】
【発明の実施の形態】
以下、本発明の各実施形態について図面に基づき説明する。なお、以下の各図面においては説明の容易化のためにハッチングを適宜省略してある。
【００４４】
まず第１実施形態に関する薄型フラットスピーカー装置１について説明する。
【００４５】
図１に示す第１実施形態に関する薄型フラットスピーカー装置１は、独立気泡の低発泡ポリエチレンを芯材１１１とし、該芯材１１１の表裏に、アルミニウムの平滑で極く薄い板状の面材１１２，１１３を接着剤により貼合せた（接合した）サンドイッチ状構造の総厚が１．５ｍｍ〜６．０ｍｍのアルミニウムと独立気泡の低発泡ポリエチレンの積層複合板を振動板１１０とし、該振動板１１０の一側に、該振動板１１０に音響電気信号に応じて振動を与える振動付与部１２０を両面接着テープ等の接着材により接着することにより直接固着した構成を有している。
【００４６】
振動板１１０については、図２に示すように三共ユナイト工業株式会社製の一側からアルミニウム、ポリエチレン、アルミニウムのアルミニウムと樹脂の積層複合板であるライトニウム（登録商標）のうち、接着剤を含みアルミニウム、ポリエチレン、アルミニウムを合わせた総厚が１．５ｍｍ、２．０ｍｍ、３．０ｍｍ、４．０ｍｍあるいは６．０ｍｍのものを用いている。
【００４７】
このライトニウム（登録商標）は、独立気泡孔を有する低発泡ポリエチレンを芯材１１１とし、該芯材１１１の表裏を、高強度を保つアルミニウム製金属薄板の面材１１２，１１３で挟み込んで接着したサンドイッチ構造（積層複合構造）となっていることにより、高い剛性を有している。
【００４８】
なお、図２に示す１１６，１１７は芯材１１１と表裏のアルミニウムの面材１１２，１１３とを接着している接着層である。
【００４９】
また、芯材１１１に独立気泡孔を有する低発泡ポリエチレンを用いており、軽量である。（具体的に例示すると後述のように、比重０．８０から１．３０である。）
また、独立気泡低発泡ポリエチレンを芯材１１１にし、表裏をアルミニウム製金属薄板の面材１１２，１１３で挟み込んで接着したサンドイッチ構造により、金属薄板に発生しがちな波打ちを抑え、かつ、芯材１１１のポリエチレンが低発泡、独立気泡のため、フラットで滑らかな（平滑性を備えた）表面を与えている。
【００５０】
なお、表裏のアルミニウムの面材１１２，１１３は、その表面に美観及び反射調整のための塗装を施すか、そのままでも、アルマイト加工をしたものを用いても良い。図２においては、表裏の各アルミニウムの面材１１２、１１３の表面に更に塗装を施したものを示し、塗装層１１４，１１５が形成されている。
【００５１】
なお、ライトニウム（登録商標）に関する総厚、アルミニウム厚、比重についての関係を例示すると以下の通りである。
【００５２】
【表１】
2004064726.tif 000003
そして、本発明の第１実施形態にかかる薄型フラットスピーカー装置１の振動板１１０および振動板１１０の駆動に使用する振動付与部１２０は公知の技術を応用しているもので、例えば、特開２００１−３５９１８８号公報「駆動ユニット及びこれを備えたパネルスピーカー」、特開２００２−２７５８８号公報「パネル型スピーカーシステム」あるいは特開平１１−２２０７８５公報「パネル型スピーカー装置」に記載されたパネル型スピーカー装置と同様に、本発明の第１実施形態にかかる振動付与部１２０に相当するドライバーユニットにより、振動板１１０を駆動して出力再生を行う曲げ波動理論に基づくパネル型スピーカー装置を基本構成としている。
【００５３】
具体的には、英国ニュー・トランスデューサー・リミテッド社のＮＸＴ（登録商標）ＤＭ（Ｄｉｓｔｒｉｂｕｔｅｄ　Ｍｏｄｅ）方式のパネルスピーカーの技術を応用したものである。これを用いることで、双指向性を備え、中高域でフラットな周波数特性が実現されるとともに、振動板に細かい分割振動が生じることから大きな放射面積が得られ、振動板から離れても音圧レベルが維持され充分なエネルギーが得られるものである。
【００５４】
即ち、振動付与部１２０に相当するドライバーユニットにより振動板１１０に前記振動による部分的な曲げ動作を生じさせて放音が行われるものである。ここで、前記公知のドライバユニットにより振動される振動板１１０は、通常外周部が非拘束状態で自由振動することから低周波数帯域においても良好な音質の再生出力を行えるというものである。しかし、本発明の後述する提示板に用いる薄型フラットスピーカー装置、スピーカー自体を自立して立てて置けるようにした自立型の薄型フラットスピーカー装置、ディスプレイ装置に取付けて用いる薄型フラットスピーカー装置、壁面に取付けて用いる薄型フラットスピーカー装置においては、振動板（放音面）１１０の周囲を取付け、支持、固定するために、あるいは美観の上で周囲の切断面を隠すため等の理由により、振動板（放音面）１１０の周囲にフレームを設けることが必要になるが、振動板（放音面）１１０が大型の場合、前記振動による部分的な曲げ動作を十分許容できるために振動板（放音面）１１０の周囲をフレームに固定しても支障なく、良好な音質の再生出力が行えるものである。そして、振動板（放音面）１１０が小型の場合は、振動板１１０の周囲とフレームとの間に弾性体を介在させることで前記振動による部分的な曲げ動作を殺さないように支持し、良好な音質の再生出力を行えるようにしてある。
【００５５】
続いて、上述した振動付与部１２０の具体的構成について説明する。振動付与部１２０は、図１に示すように、振動板１１０に固着（接着固定）されるボビン１２１と、ボビン１２１に巻装されるボイスコイル１２２と、ボイスコイル１２２が挿入される磁気ギャップ１２３と、振動板１１０に板バネ１２４を介して固着（接着固定）されるハウジング１２５と、ハウジング１２５の底板１２５ａに固着された永久磁石１２６と、永久磁石１２６に固着された鉄板１２７を備えている。なお、この永久磁石１２６、鉄板１２７に磁気ギャップ１２３が形成されている。
【００５６】
また、１２８はダンパーで、前記ボビン１２１と鉄板１２７との間を揺動可能に連結している。１２９は、図外のＣＤやＭＤなどの外部音響機器、アンプ等からの接続コードが接続可能になったジャックで、１２９ａは、ジャック１２９と前記ボイスコイル１２２との間に配線されたリード線である。
【００５７】
以上の構成を有することで、ボイスコイル１２２に電気音響信号を与えることにより、音響電気信号に応じてボイスコイル１２２が巻装されたボビン１２１が振動し、ボビン１２１に接着固定され一体化された振動板１１０が振動し、音となって放出され、スピーカーとなる。
【００５８】
その際、ハウジング１２５の取付フランジ１２５ｂと振動板１１０とは、板バネ１２４を介して接着により固着されており、これにより振動付与部１２０が、振動板１１０に支持され、かつ、板バネ１２４にスリット１２４ａが設けられ、しかも、振動板１１０とハウジング１２５の取付フランジ１２５ｂとの間には隙間１２５ｃが確保されており、振動板１１０の振動を板バネ１２４の変形で許容するようになっている。
【００５９】
なお、板バネ１２４に替えて、発泡ゴムを素材とした弾性体を介して振動板１１０とハウジング１２５の取付フランジ１２５ｂを取り付けても良い。
【００６０】
以上の構成から明らかなように、第１実施形態にかかる薄型フラットスピーカー装置１は、振動板１１０の表裏はアルミニウムであるため、芯材１１１に独立気泡の低発泡ポリエチレンを用いても表裏方向の貫通孔がなく、平滑で美観に優れ、芯材１１１の独立気泡孔に空中の塵等が詰まって独立気泡孔を塞ぐとか汚すとかいうことも無いため、スピーカー性能の劣化を防ぎ、また、スピーカー表面に他の装飾を施す必要のないスピーカーを提供でき、かつ剛性が高い上、接着性が良く、振動付与部１２０と強固に接着取付けできるとともに、振動板１１０を他の部材へ取り付ける際、あるいは振動板１１０にフレーム等他の部材を取付ける際、容易に接着取付けでき、組付けの容易なスピーカーを提供できる。また、芯材１１１は独立気泡の低発泡ポリエチレンであるため、独立の気泡孔を有し、低密度で疎となっており、軽量で剛性も高い上、表裏のアルミニウムの波打ちを抑えフラットで滑らかな表面を形成している。したがって、振動板１１０全体としては、密度が低く、軽量かつ、曲げ、剛性が高い構造体で、表裏方向の貫通孔がないという機械的性質を有しているので高性能となる。
【００６１】
また、振動板１１０にアルミニウムと低発泡ポリエチレンの積層複合板を使用しているので、建築物の外壁、内壁、天井間仕切り、ドアや看板、あるいは貨物自動車の保冷荷室、ゲート、ウイング等巾広くまた、数多く使われている材料であり、材料を容易に得ることができ、安価である。
【００６２】
続いて、本発明の第２実施形態にかかる薄型フラットスピーカー装置２について説明する。
【００６３】
第２実施形態に関する薄型フラットスピーカー装置２は、図３に示すように、独立気泡の低発泡ポリエチレンを芯材２１１とし、該芯材２１１の表裏に、ステンレススチールの平滑で極く薄い板状の面材２１２，２１３を接着剤により貼合せた（接合した）サンドイッチ構造の総厚が１．２ｍｍ〜４．０ｍｍのステンレススチールと独立気泡の低発泡ポリエチレンの積層複合板を振動板２１０とし、該振動板２１０の一側に、該振動板２１０に音響電気信号に応じて振動を与える振動付与部２２０を両面接着テープ等の接着材により接着することにより直接固着した構成を有している。
【００６４】
振動板２１０については、図４に示すように三共ユナイト工業株式会社製の一側からステンレススチール、ポリエチレン、ステンレススチールのステンレススチールと樹脂の積層複合板であるサスライト（登録商標）のうち、接着剤を含みステンレススチール、ポリエチレン、ステンレススチールを合わせた総厚が１．２ｍｍ、１．５ｍｍ、２．０ｍｍ、３．０ｍｍ、４．０ｍｍのものを用いている。
【００６５】
このサスライト（登録商標）は、独立気泡孔を有する低発泡ポリエチレンを芯材２１１とし、該芯材２１１の表裏を、高強度を保つステンレススチール製の金属薄板の面材２１２，２１３で挟み込んで接着したサンドイッチ構造（積層複合構造）を備えることにより、高い剛性を有している。なお、図４に示す２１４，２１５は芯材２１１と表裏のステンレススチールの面材２１２，２１３とを接着している接着層である。また、芯材２１１に独立気泡孔を有する低発泡ポリエチレンを用いており、軽量である。（具体的に例示すると後述のように、比重１．０３から１．９５である。）
また、独立気泡低発泡ポリエチレンを芯材２１１にし、表裏をステンレススチール製金属薄板の面材２１２，２１３で挟み込んで接着したサンドイッチ構造により、金属薄板に発生しがちな波打ちを抑え、かつ、芯材２１１のポリエチレンが低発泡、独立気泡のため、フラットで滑らかな（平滑性を備えた）表面を与えている。
【００６６】
なお、表裏が耐食性に優れたステンレススチールの面材２１２，２１３であるのでそのまま用いても良いが、その表面に美観及び反射調整のための塗装を施しても良い。図４においては、表面に塗装を施していないものを示している。なお、サスライト（登録商標）に関する総厚、比重についての関係を例示すると以下の通りである。
【００６７】
【表２】
2004064726.tif 000004
そして、本発明の第２実施形態にかかる薄型フラットスピーカー装置２の振動板２１０も、前記本発明の第１実施形態にかかる薄型フラットスピーカー装置１の振動板１１０と同様に公知の曲げ波動理論に基づいて出力再生を行うパネル型スピーカー装置を基本構成としているものである。
【００６８】
一方、本発明の第２実施形態にかかる薄型フラットスピーカー装置２の振動付与部２２０も公知の駆動装置（ドライバーユニット）を使用している。
【００６９】
具体的には、本発明の第２実施形態にかかる振動付与部２２０は、特開２０００−２５３４９２号公報「圧電振動体を用いたスピーカー」や、特開２００１−３２０７９８号公報「音響装置用圧電振動板」に記載されたスピーカーと同様に圧電効果という現象を利用した公知のドライバーユニットを使用している。
【００７０】
本発明の第２実施形態にかかる振動付与部２２０は、圧電効果という現象を利用した振動付与部で、２枚のセラミックスを使用している。この２枚のセラミックスは、圧電効果という性質を持っている。なお、これを圧電セラミックスといい、圧電効果を有する物質を圧電体と呼ぶ。圧電体は、その結晶に電気を与えると力や歪み（伸び縮み）が発生する。即ち、逆圧電効果を持っている。
【００７１】
そして、ＣＤプレーヤー、ＭＤプレーヤー等の出力端子から出力される音響電気信号をアンプで増幅して圧電セラミックスに加えることにより、圧電体が音響電気信号に応じた伸び縮みを繰り返す。
【００７２】
なお、振動付与部２２０の具体的構造は、圧電体である２枚のセラミックス２２１，２２２で真鍮電極板２２３を挟み込むように接着した構造になっている。そして、２枚のセラミックス２２１，２２２は、極性が反対（一方が伸びれば他方は縮む）になるように配線しており、真鍮電極板２２３は、音響電気信号の大小に応じて弓形に変形し、全体が振動する。そして、この振動が振動板２１０に伝わり、音となって放出され、スピーカーとなる。また、２２４は、振動板２１０に振動付与部２２０を支持固定し、かつ振動を伝えるため振動付与部２２０を振動板２１０に接着固定する振動付与部２２０の振動伝達部である。また、２２５は、振動を増幅、調整するため真鍮電極板２２３の外周に接着固定した重りのダンパウェイトである。そして、２３１は図外のアンプに接続するプラグであり、２３２はプラグ２３１とセラミックス２２１，２２２、真鍮電極板２２３をつなぐ配線である。
【００７３】
なお、上述の実施形態とは異なり、第１実施形態の振動板１１０に第２実施形態の振動付与部２２０を設けた薄型フラットスピーカー装置としても良く、第２実施形態の振動板２１０に第１実施形態の振動付与部１２０を設けた薄型フラットスピーカー装置としても良い。
【００７４】
続いて、本発明の第３実施形態にかかる掲示板３について説明する。この掲示板３は掲示物の裏面側に第１実施形態又は第２実施形態に使用した振動板１１０又は２１０を設けたものである。
【００７５】
具体的には、図５に示すように、薄型フラットスピーカー装置１の振動板（裏面板）１１０と、当該振動板１１０と所定間隔隔てて対向配置されかつ透光性を有した掲示部３１０と、振動板１１０と掲示部３１０との間に介装された蛍光灯３２０と、これらを固定するフレーム３３０を備えている。
【００７６】
振動板１１０は、前記第１実施形態の薄型フラットスピーカー装置１に用いられる振動板１１０と同一構造、すなわち独立気泡の低発泡ポリエチレンの芯材１１１をアルミニウムの面材１１２，１１３で挟んだサンドイッチ構造を有している。尚、振動板１１０の中央より多少ずらした位置に前記第１実施形態の薄型フラットスピーカー装置１の振動付与部１２０が接着固定され、振動板１１０の適所位置には音響用アンプ１３０と蛍光灯３２０のノイズをとるノイズキャンセラー３２２が装着されている。
【００７７】
また、掲示板３内の配線や、外部音響機器と接続するジャック等は図示省略してある。
【００７８】
そして、図６に示すように、掲示部３１０は写真等からなる光透過型掲示パネル３１３と、掲示パネル３１３をサンドイッチ状に挟み込む掲示パネル保護用の透明性アクリル板からなる支持パネル３１１，３１２からなる。また、掲示部３１０と蛍光灯３２０の間には光拡散用の半透明光反射型アクリル板３２１が介装されている。
【００７９】
そして、これらの構成要素は、図７、図８に示すように、掲示板周囲に断面己型の支持枠３３１と、断面Ｕ型のカバー枠３３２とから形成され、全体としての断面がＥ型に形成されたフレーム３３０によって所定の相対的位置関係を保ちながら固定されている。そして、支持枠３３１は、掲示板周囲の全周すなわち、四辺が断面己型に形成されており、該支持枠３３１に挿入固定されるカバー枠３３２は、掲示板周囲の三辺が断面Ｕ型に形成され、他の一辺が前縁部板３３５のみの断面Ｉ型に形成され、該一辺の側縁部３３５ａが開放された形状に成されている。
【００８０】
前記断面己型の支持枠３１３の己型断面の前側端３１３ａによって形成される部分断面Ｕ型のカバー枠挿入溝３１３ｂに、前記断面Ｕ型のカバー枠３３２の折り返し重合された後縁部３３２ａが挿入されて固定され、カバー枠挿入溝３３２ｂの幅と後縁部３３２ａの厚さはほぼ同じ寸法に形成され、後縁部３３２ａがカバー枠挿入溝３３２ｂに圧入される。そして、支持パネル３１１、掲示パネル３１３、支持パネル３１２は、断面Ｕ字型のカバー枠３３２と断面己型の支持枠３３１とによって形成される掲示パネル挿入溝３３２ｃに挿入固定される。
【００８１】
さらに、掲示板周囲の残りの一辺には、図８に示すように、フレーム３３０に取り付けられたヒンジ３３３を介して開閉可能なリッド３３４が備わっている。リッド３３４はヒンジ３３３に備わったスプリング３３３ａによって常に閉止方向に付勢され、掲示パネル３１３の交換時のみ開けるようになっている。
【００８２】
なお、掲示パネル３１３は、リッド３３４を開いた状態で現れる前記掲示パネル挿入溝３３２ｃに掲示パネル３１３を挟み込んだ支持パネル３１１，３１２をスライドさせながら挿入することで掲示板３に挿入できる。
【００８３】
組み付け方法をより詳細に説明すると、図６、図７、図８に示すように、支持枠３３１のカバー枠挿入溝３３２ｂに対し、カバー枠３３２の後端部３３２ａを挿入するが、その際に該カバー枠３３２の前記開放された側縁部３３５ａを支持枠３３１のリッド３３４と反対側から挿入（圧入）して取り付ける。
【００８４】
そして、図８に示すように、支持枠３３１の側方にヒンジ３３３を介して取り付けたリッド３３４を、スプリング力（リッドを閉じる方向に作用する付勢力）に抗して開き、リッド３３４側の側面からアクリル板の支持パネル３１１，３１２にはさみ込まれた光透過型の掲示パネル３１３を挿入する。
【００８５】
掲示パネル３１３の大きさが、Ａ４版以上の比較的大きな（例えばＡ１版、Ａ０版）ものの場合、振動板１１０はフレーム３３０に接着材（剤）、ビス、リベット等で直接固定することで十分な音圧が得られる。
【００８６】
一方、掲示パネル３１３の大きさがＢ５版、Ａ５版等Ａ４版より小さい場合には、振動板１１０とフレーム３３０との間に弾性体を介して取り付けることによって、振動板１１０の周囲を強固に固めないようにする。振動板１１０の剛性は必要であるが、必要以上に剛性を高くすると振動が抑えられるため、振動板１１０が小さい場合には、フレーム３３０と直接、固定することで剛性を必要以上に高くしてしまうのを防ぐ。
【００８７】
なお、支持パネル３１１，３１２、掲示パネル３１３の挿入口は上部または下部でも良いが、下部とした場合はリッドを係合保持する係合具を設ける。
【００８８】
以上の構成を有することで、かかる掲示板３には、蛍光灯３２０側に、振動板１１０のアルミニウムの面材１１３が面しているため蛍光灯３２０の光をアルミニウムの面材１１３が反射し、かつ、蛍光灯３２０の前には光拡散用の半透明光反射型アクリル板３２１が設けられているため掲示部３１０全体にフラットで均一な間接光が照射され、掲示部３１０の裏面から透過した該間接光により掲示部３１０の写真等の掲示パネル３１３が全体的に浮かび上がるので見る者に美観を起させることができる。また、掲示板３の外部には、照明用ライト等の突起物がないので外観がシンプルであるとともに取り扱い性に優れる。さらには、本発明の第１実施形態にかかる薄型フラットスピーカー装置１の振動板１１０を掲示板３の裏面板に使用しているので、音は掲示板３の裏面から放音され、振動板１１０の放音面に掲示パネル３１３が無いため良い音を発生することができ、宣伝効果を高めることができる。その上、本発明の第１実施形態にかかる薄型フラットスピーカー装置１は軽量かつ強固で耐塵性に優れるので、かかる薄型フラットスピーカー装置１を裏面板に使用した掲示板３は、耐候性を要求される屋外環境での使用に優れるとともに携帯性に適し、所望の場所に容易に運搬して設置することができる。
【００８９】
なお、上述の実施形態とは異なり、裏面板に第２実施形態にかかる薄型フラットスピーカー装置２を用いても同等の効果が期待できる。
【００９０】
続いて、本発明の第４実施形態にかかるケース４について説明する。このケース４は、アルミニウムでできたケース４の少なくとも一部に第１実施形態にかかる薄型フラットスピーカー装置１を利用したものである。
【００９１】
すなわち、ケース４は、ノート型パソコンやＡＣアダプターなどのノート型パソコンの周辺機器あるいは、エステ用具一式などを納めて運ぶのに用いるアルミニウム製のケースあるいはトランクの一部を薄型フラットスピーカー装置１で構成したものである。
【００９２】
具体的には、ケース４は、図９に示すように、ケース本体４１０と、リッド４２０と、これらを開閉可能に連結するヒンジ４３０（図１０）と、ケース本体４１０に、起倒可能に回動軸４１０ａを介して固定された取っ手４４０と、ケース本体４１０にリッド４２０をロックする掛止具４５０とを備え、リッド４２０の外板４２３の前面板４２３ａが第１実施形態にかかる薄型フラットスピーカー装置１の振動板１１０から構成されている。また、リッド４２０の外板４２３の側面板４２３ｂは、振動板１１０によって構成されている前面板４２３ａを折り曲げ延設させて形成されている。なお、薄型フラットスピーカー装置１の振動板１１０から構成されているリッド４２０の前記前面板４２３ａの内側には音響用アンプ１３０が装着されている。また、１２０は振動付与部であり、４２４は外板４２３、４２５の縁を補強するための縁補強枠であり、４２６は外板４２３，４２５のコーナを補強するコーナ補強ピースである。
【００９３】
そして、リッド４２０の内側には、図１０に示すように、リッド内底板４２１が備わっている（図中、二点鎖線で図示）。また、振動板１１０から構成されている外板４２３と、リッド内底板４２１との間には、前記音響用アンプ１３０や振動付与部１２０が収納されたリッド内空所４２７が存する。また、リッド内底板４２１より内側の周囲の壁には、収納物保護用のウレタン４２２が貼られ、ケース本体４１０の内側には、図１１に示すように、収納物の外形に合わせて形成した収納物保護用の収納凹部４１２ａが形成されたウレタン４１２がはめ込まれている。なお、図１１では、外板４２３，４２５の縁補強枠４２４、コーナー補強ピース４２６、掛止具４５０の図示を省略してある。
【００９４】
さらにケース４は、リッド４２０の外板４２３も、ケース本体４１０の外板４２５も第１実施形態にかかる薄型フラットスピーカー装置１の振動板１１０と同じく独立気泡の低発泡ポリエチレンでできた芯材と該芯材の表裏にアルミニウムの面材を接合したアルミニウムと低発泡ポリエチレンの積層複合板によって形成されている。そして、そのリッド４２０の外板４２３の前面板４２３ａを振動板１１０とした第１実施形態にかかる薄型フラットスピーカー装置としたものである。こうして、アルミニウムと低発泡ポリエチレンの積層複合板でできたケースの少なくとも一部を第１実施形態の薄型フラットスピーカー装置１で構成しており、スピーカー付きのケースながら軽量かつ強固で耐塵性に優れるので、耐候性を要求される屋外環境での宣伝活動に使用できるとともに携帯性に適し、いかなる場所にも持っていくことができる。
【００９５】
なお、使用形態の一例としては、パソコンからの音響信号を受けてパソコン収納ケースから音楽や音声を流すことも考えられる。あるいは、エステやメークの実演時に解説や宣伝を収録した音声再生機器とエステ用具を収納していたエステ用具収納ケースとを接続し、宣伝広告用の音声を流すようにしても良い。
【００９６】
なお、リッド４２０の外板４２３の前面板４２３ａを振動板１１０とした場合は、ケースのリッド４２０を閉じた状態でスピーカーとして用いても良いし、開いた状態でスピーカーとして用いても良い。
【００９７】
また、図１０の二点鎖線で示すように、リッド内底板４２１を振動板１１０として使用することもできる。この場合は、リッド内底板４２１を第１実施形態にかかる薄型スピーカー装置１の振動板１１０で構成し、該リッド内底板４２１の外板４２３側に音響用アンプ１３０を装着する。なお、図１０に二点鎖線で示した符号１２０が指すものは薄型スピーカー装置１の振動付与部である。なお、リッド内底板４２１を振動板１１０とした場合は、ケースのリッド４２０を開けた状態でスピーカーとして用いる。
【００９８】
また、振動板１１０を外板４２３とリッド内底板４２１との両側に設けても良い。この場合、振動付与部１２０の一方が外板４２３を形成している振動板１１０に取り付けられ、他方がリッド内底板４２１を形成している振動板１１０に取り付けられるようになる。このようにしても、振動付与部１２０と音響用アンプ１３０をそれぞれ適所に配置することで互いの干渉を防止することができる。
【００９９】
なお、上述の実施形態とは異なり、外板４２３又はリッド内底板４２１に第２実施形態にかかる薄型フラットスピーカー装置２を用いた場合、軽量化の点では上述のケースに対して多少劣るが、強度の点で優れたケースとすることができる。この場合、外板４２３は振動板２１０が、リッド内底板４２１は振動板２１０がそれぞれ形成することになる。
【０１００】
続いて、本発明の第５実施形態にかかる自立型フラットスピーカー装置５について説明する。この自立型フラットスピーカー装置５は、床または、ラック上、卓上に置く薄型フラットスピーカー装置である。
【０１０１】
自立型フラットスピーカー装置５は、図１２に示すように、第１実施形態の薄型フラットスピーカー装置１と、薄型フラットスピーカー装置１の周囲に直接取り付けられたフレーム５１０と、フレーム５１０の下部に連結された支持台５２０とを備えている。また、図１３の断面図に示すように、支持台５２０にはアンプ５３０が備わり、ジャック５３１及び接続コード５４１を介してＣＤやＭＤなどの外部音響機器５４０と接続可能になっている。また、１２０は、振動付与部であり、１２０ａは、振動付与部１２０とアンプ５３０を結ぶ配線である。
【０１０２】
そして、振動板１１０の大きさが、Ａ４版以上の比較的大きな放音面（振動板）となる、例えばＡ４版、Ａ４版を長手方向に２枚つづけた大きさ、Ａ３版、Ａ３版を長手方向に２枚つづけた大きさ、Ａ２版、Ａ１版、Ａ０版では、図１４のフレーム断面図に示すように、振動板１１０の周囲にフレーム５１０を接着あるいは圧入して固定する。このフレーム５１０は、アルミニウムの押出材を用い枠状に接合し、組立てているが、樹脂を用いても良い。
【０１０３】
なお、Ａ４版未満の大きさや縦に細長いあるいは、横に細長い放音面（振動板）の場合は、振動板１１０とフレーム５１０の間に、弾性体を介して取り付ける。（図１８に示す他の実施形態のフレーム断面図参照）
一方、縦または横に細長い（例えば、Ａ５版を長手方向に２枚つづけた大きさ）ものでは、長手方向端は振動板１１０とフレーム５１０を接着等で直接固定し、短手方向端は、振動板１１０とフレーム５１０との間に弾性体を介して取り付ける。
【０１０４】
なお、本実施形態にかかる自立型フラットスピーカー装置の場合、支持台５２０と振動板１１０、フレーム５１０とを分割し、荷姿をコンパクトにできるように、支持台５２０と振動板１１０、フレーム５１０との間に支持接続部材５２１を設けている。そして、フレーム５１０の下部、支持接続部材５２１、支持台５２０には、凹部、凸部を設け、挿入固定することで、該部分で脱着可能になっている。
【０１０５】
なお、支持接続部材５２１の長さを変えることで、この装置の床面又は卓上からの高さを可変にするようにしても良い。
【０１０６】
また、上述の実施形態とは異なり、第２実施形態にかかる薄型フラットスピーカー装置２にフレーム５１０と支持台５２０あるいは、支持接続部材５２１を取り付けても同等の効果が期待できる。
【０１０７】
続いて、図１５に示す本発明の第６実施形態にかかるディスプレイ装置６及び第７実施形態にかかる壁取付型フラットスピーカー装置７について説明する。なお、かかるディスプレイ装置６や壁取付型フラットスピーカー装置７は、ホームシアターやオーディオルームに用いるものである。
【０１０８】
この背景としては、ホームシアターでは、プラズマディスプレイや液晶ディスプレイのような、薄型フラットなディスプレイ装置の需要が省スペース映像機器として本格化しているとともに、サラウンドの更なる多チャンネル化で場所をとらない音の良いスピーカーが求められていることがあげられる。
【０１０９】
その要望に応えるため、本発明にかかる薄型フラットスピーカー装置１を利用して、ディスプレイ側面にスピーカー部を一体に設けたディスプレイ装置６と部屋の壁に設けた壁取付型フラットスピーカー装置７を提供する。
【０１１０】
まず最初に、第６実施形態である、薄型ディスプレイに薄型フラットスピーカー装置１を備えたディスプレイ装置６について説明する。
【０１１１】
このディスプレイ装置６は、図１６の断面図に示すように、薄型ディスプレイ６１０の両側面に、ディスプレイ６１０に嵌合するように形成したフレーム６２１、及びスピーカーの振動をディスプレイ６１０に伝えないようにした弾性体６３０を介して第１実施形態の薄型フラットスピーカー装置１の振動板１１０を取り付けることによって、第１実施形態の薄型フラットスピーカー装置１をディスプレイ６１０に取り付けたものである。
【０１１２】
なお、フレーム６２１は、振動板１１０の端末カバーを兼ねている。
【０１１３】
また、薄型ディスプレイ６１０の両側面に対応する以外の薄型フラットスピーカー装置１の振動板１１０の周囲は、図１６及び図１７のフレーム断面図に示すように、弾性体を介さずに振動板１１０の周囲にフレーム６２２を接着あるいは圧入して固定している。
【０１１４】
なお、この薄型ディスプレイの両側面に対応する以外の薄型フラットスピーカー装置１の振動板１１０の周囲も、図１８に示すように、弾性体６２３を介してフレーム６２４で固定しても良い。また、１２０は振動付与部で、６４０はディスプレイ支持台、６４１は支持脚である。
【０１１５】
また、上述の実施形態とは異なり、ディスプレイ装置６に使用する薄型フラットスピーカー装置に第２実施形態にかかる薄型フラットスピーカー装置２を用いても良い。
【０１１６】
続いて、壁に取り付けることのできる第７実施形態の壁取付型フラットスピーカー装置（再び図１５参照）について説明する。
【０１１７】
本実施形態にかかる壁取付型フラットスピーカー装置７は、図１９及び図２０の断面図に示すように、第１実施形態にかかる薄型フラットスピーカー装置１と、薄型フラットスピーカー装置１の振動板１１０の周囲に取り付けられたフレーム７１０とを備え、フレーム７１０は薄型フラットスピーカー装置１の振動板１１０の端部を挟持する挟持部７１１と挟持部７１１から延設し、壁に重合して壁に取り付けられる壁取付用延在部７１２とを有し、ユ型断面に形成されている。なお、挟持部７１１と薄型フラットスピーカー装置１の振動板１１０との間には振動吸収用弾性体７１３が介装されている。また、壁取付用延在部７１２にも振動吸収用弾性体７１４が固着されており、この振動吸収用弾性体７１３，７１４を介して薄型フラットスピーカー装置１が壁に取り付けられるようになっている。
【０１１８】
なお、１２０は振動付与部である。
【０１１９】
そして、これらの振動吸収用弾性体７１３，７１４によって薄型フラットスピーカー装置１が効率良く振動して良音を発するとともに余分な振動が壁に伝わらないようにする。
【０１２０】
なお、図１９及び図２０の断面図は音響特性（音場）と防音の機能をもった部屋の壁７２０に設けた例である。具体的には、音場パネル７２１および、遮音層７２２、振動カット層７２３、吸音層７２４、振動カット層７２５、遮音層７２６からなる積層した壁７２０に第１実施形態にかかる薄型フラットスピーカー装置１を取り付けたものである。なお、７３０は部屋の壁７２０から薄型フラットスピーカー装置１が部屋内に突出しないようにするため、壁７２０に設けられた凹所であり、該凹所７３０の空間に嵌め込んで薄型フラットスピーカー装置を取り付けたものである。
【０１２１】
また、本実施形態にかかる壁取付型フラットスピーカー装置７は、ユ型断面をしたフレーム７１０の壁取付用延在部７１２を介して薄型フラットスピーカー装置１を壁７２０に設けた凹所７３０も空間に嵌め込み、壁７２０から突出しないように取り付けることができるので、音響特性の点だけでなく美観の点からも優れている。
【０１２２】
また、薄型フラットスピーカー装置１の振動板１１０の周囲に取り付けられたフレーム７１０は、該フレーム７１０の挟持部７１１と振動板１１０の周囲との間に振動吸収用弾性体７１３を介装せずに、接着あるいは圧入により直接固定しても良い。
【０１２３】
なお、上述の実施形態とは異なり、第２実施形態にかかる薄型フラットスピーカー装置２の振動板２１０にフレーム７１０を取り付けた壁取付型フラットスピーカー装置としても良い。
【０１２４】
続いて、本発明の第８実施形態にかかるケース８１０について説明する。なお、図面に関しては、図２１、図２２、図２３が第８実施形態のケース８１０に対応している。
【０１２５】
本発明の第８実施形態にかかるケース８１０は、前述の第４実施形態にかかるケース４と同様にノート型パソコンやＡＣアダプタなどのノート型パソコンの周辺機器あるいは、エステ用具一式などを収めて運ぶケースの他、必要に応じて移動先で音楽を聴くあるいは流すことが手軽にできるようにＣＤプレイヤーや音楽ＣＤなどの音楽を聴くあるいは流すための器材一式を納めて運ぶケースに薄型フラットスピーカ装置１を内蔵して構成されたものである。
【０１２６】
以下、ケース８１０の具体的構造について説明する。なお、第１実施形態にかかる薄型フラットスピーカ装置１の構成と同じものは、同符合を付して説明を省略する。
【０１２７】
ケース８１０は、図２１に示すようにアルミニウム等でできたケース８１０の外表面８１１を形成する外板の少なくとも一部に、ケース８１０内にて発生させた音波を通す透孔８１２が明けられ、当該透孔８１２の内側に対面して第１実施形態にかかる薄型フラットスピーカ装置１（図２２参照）を設けたものである。なお、薄型フラットスピーカ装置１はケース８１０より着脱可能に取付けられている。
【０１２８】
また、ケース８１０は、図２１及び図２２に示すように、ケース本体８１３と、リッド８１４と、これらを開閉可能に連絡するヒンジ８１５と、ケース本体８１３に起倒可能に回動軸８１６を介して固定された取っ手８１７と、ケース本体８１３にリッド８１４をロックする掛け具８１８とを備えている。
【０１２９】
なお。８２０はケース本体８１３の外板、８２１はリッド８１４の外板である。
【０１３０】
リッド８１４の外表面を形成する外板８２１の一角には音波を通すための透孔８１２が外板８２１を貫通して多数明けられている。
【０１３１】
この多数明けられた透孔８１２の内側、すなわちケース８１０の中には、図２２に示すように、多数の透孔８１２に対面して第１実施形態にかかる薄型フラットスピーカ装置１の振動板１１０が配置されている。
【０１３２】
この振動板１１０の内側すなわち裏面には、振動付与部１２０が接合され固定されている。
【０１３３】
そして、リッド８１４の内側すなわち裏面には、支持基板８２２がビスによりネジ止めされ着脱可能に取付けられている。
【０１３４】
支持基板８２２には、スピーカ電源としての電池８２４を収納する電池ケース８３１、音響用アンプ８３２、図外のＣＤプレイヤー等からのプラグを差し込むためのジャック８２９、外部からのＡＣ（交流）１００Ｖ電源と接続するためのＡＣ電源入力端子８３３、外部マイクと接続する外部マイク入力端子８３４、音量調節部８２５、音量調節つまみ８２６、パイロットランプ８２７、及び振動板１１０（図２２参照）が取付けられている。
【０１３５】
この振動板１１０は、支持基板８２２に振動板支持ブラケット８３５、支持弾性体８３６を介して取付けられている。
【０１３６】
また、支持基板８２２の前記多数明けられた透孔８１２に対応した位置には放音孔８４７が明けられている。そして、この放音孔８４７及び透孔８１２を介してリッド８１４の外へ音波が出て行く。なお、８２２ｃは支持基板８２２の放音孔８４７の端縁を示している。
【０１３７】
また、スピーカのＯＮ・ＯＦＦスイッチを兼ねた音量調節つまみ８２６がリッド８１４の外に突出して取付けられ、この音量調節つまみ８２６を有する音量調節部８２５はリッド８１４の内側に臨んで固定されており、音響用アンプ８３２との間を配線によって接続されている。この音量調節つまみ８２６からは音量調節軸８２６ａが突出し、共に一体で回動するようになっている。
【０１３８】
また、パイロットランプ８２７が、音量調節つまみ８２６をまわしてスピーカをＯＮにすると点灯し、ＯＦＦにすると消灯するようになっている。なお、音量調節つまみ８２６、パイロットランプ８２７、ＡＣ電源入力端子８３３、外部マイク入力端子８３４は支持基板８２２に固定された取付けベース８３８に取付けられている。取付けベース８３８のベース上下は内に外板８２１が嵌入された断面コ字状の外板端８３８ａと接しており、この外板端８３８ａは固定ピース８３８ｂを介して縁補強枠８４０、リッド側開口縁補強枠８４２にリベットにより取付けられている。
【０１３９】
また、取付けベース８３８の左右端は縁補強枠８４０、リッド側開口縁補強枠８４２と接している。
【０１４０】
なお、８２８は配線を部分的に示したものであり、８４６は、支持基板８２２とリッド８１４の外板８２１の内側の隙を塞ぐ樹脂発泡体のスペーサであり、８２６ａは音量調節軸である（図２２参照）。
【０１４１】
前記振動付与部１２０の内側には、振動付与部１２０、振動板１１０、音響用アンプ８３２、電池８２４、配線８２８等に、ケース８１０内に収納した収納物が当たるのを防ぐカバー８１９がビス孔８１９ａ（図２３参照）を介してビスその他の固定部品で前記支持基板８２２へ着脱可能に取付けられている。また、音響用アンプ８３２からは電線１２９ａが導出している。カバー８１９は端面視Ｌ字型に形成され、カバー８１９の一部には支持基板８２２に取付けた際に前記電池８２４に対応する位置において電池８２４を押え、かつクッションの役目もするウレタン等発泡樹脂からなる押え部材８２３が接着されている。
【０１４２】
なお、カバー８１９を外すと振動板１１０、振動付与部１２０等からなるスピーカ、電池８２４、音響用アンプ８３２等が露出し、これらの点検ができるとともに、電池８２４の交換をすることが可能となる。
【０１４３】
一方、８４０は外板８２０，８２１の縁を接合かつ補強する縁補強枠であり、８４１，８４２はリッド８１４をケース本体８１３に閉じたときに互いに当接して嵌り合い密着するように一方に凸部、他方に凹溝８４２ａ（図２２参照）が形成されたケース本体側開口縁枠とリッド側開口縁枠をそれぞれなしている。そして、両開口縁補強枠８４１，８４２はケース本体８１３、リッド８１４の開口縁の補強枠も兼ねている。
【０１４４】
また、８４３は、外板８２０，８２１、縁補強枠８４０、両開口縁補強枠８４１，８４２のコーナを接続かつ補強するコーナ接続ピースである。また、８４９はケース８１０の下端の四隅に設けられた脚である。
【０１４５】
そして、ケース本体８１３およびリッド８１４の底および周囲の内壁には、収納物を保護するためのウレタン等の発泡樹脂またはフェルトあるいは不織布等の内張りが張られている。
【０１４６】
ヒンジ８１５にはメール、フィメールの対向する面であるヒンジストッパ面８１５ａ，８１５ｂが形成されている。互いに対向するヒンジストッパ面８１５ａ，８１５ｂは、リッド閉時には離れており、リッド開時には当接してストッパとなり、リッド８１４を開いた状態で当該リッド８１４をケース本体８１３に支持するようになっている。なお、リッド８１４を開いた状態では、リッド開度が９０°を若干超えた位置に留まるようになっている。
【０１４７】
一方、外板８２１のケース内部側には、図示しない一対の断面ユ型レールがそれぞれ透孔８１２を一部挟み込むような位置に対向配置され、当該レールにガイドされるシール板８３７がスライド可能に取付けられ、透孔８１２をケース内側から必要に応じて閉塞するようになっている。なお、図２２に示す空間ＡＰはシール板８３７が出入りするガイド空間である。そして、シール板８３７にはこれを容易にスライドさせるためのハンドル８３７ａが取付けられている。このシール板８３７によってスピーカ未使用時に透孔８１２を塞ぎ、雨水、ほこり等の侵入を防ぐことができる。
【０１４８】
さらに、ケース８１０は、ケース本体８１３の外板８２０も、リッド８１４の外板８２１も第一実施形態にかかる薄型フラットスピーカ装置１の振動板１１０と同じく独立気泡の低発泡ポリエチレンでできた芯材１１１と該芯材１１１の表裏にアルミニウムの面材１１２，１１３を接合したアルミニウムと低発泡ポリエチレンの積層複合板によって形成されている。
【０１４９】
また、リッド８１４の外板８２１に音波を通す透孔８１２を設け、この透孔８１２に対面して振動板１１０が配されているため、リッド８１４を閉じた状態でも開けた状態でもスピーカとして用いることができる。
【０１５０】
また、後述するように支持基板８２２をリッド８１４から取外すことができる。
【０１５１】
以上の構成から明らかなように、第８実施形態にかかるケース８１０は、振動板１１０、振動付与部１２０等からなるスピーカ、音響用アンプ８３２、電池ケース８３１、及びジャック８２９が直接支持板８２２に、音量調節部８２５、音量調節つまみ８２６、パイロットランプ８２７、ＡＣ電源入力端子８３３、外部マイク入力端子８３４が取付けベース８３８を介して支持基板８２２に取付けられている。
【０１５２】
これにより、スピーカとスピーカを作動させるための構成要素の全てが支持基板８２２に取付けられていることになる。
【０１５３】
また、このうち、音量調節つまみ８２６、パイロットランプ８２７、ＡＣ電源入力端子８３３、外部マイク入力端子８３４は、リッド側壁外板から外部に突出（露出）し、ケース外から操作可能になっている。
【０１５４】
なお、ジャック８２９については、支持基板８２２の下側（下端）に設けられているが、このジャック８２９も上記同様、リッド側壁外板から外部に突出して設けても良いし、支持基板８２２の下端とリッド側壁外板から２箇所に突出して設けても良い。
【０１５５】
これら音量調節つまみ８２６、パイロットランプ８２７、ＡＣ電源入力端子８３３、外部マイク入力端子８３４を取付けた取付けベース８３８は、支持基板８２２の側面に固定されており、この取付けベース８３８は、リッド８１４の側壁外板８２１に明けられた取付けベース露出用開口穴８３９に嵌合されるようにのぞんでいる。
【０１５６】
この取付ベース露出用開口穴８３９は、前記のように左右の開口縁がリッド８１４の縁補強枠８４０とリッド側開口縁補強枠８４２で、上下の開口縁がリッド８１４の側壁外板を形成している外板８２１を嵌入された断面コ字状をした外板端８３８ａで囲まれて開口している。
【０１５７】
外板端８３８ａは、固定ピース８３８ｂを介してリッド８１４の縁補強枠８４０、リッド側開口縁補強枠８４２にリベット固定されている。
【０１５８】
一方、支持基板８２２は、リッド８１４の側壁外板８２１との間にビスによりネジ固定されている。この場合、リッド８１４の側壁外板８２１の外部から支持基板８２２に設けたネジ部へビスを締付けるようにしても良く、この逆に支持基板８２２側からリッド８１４の側壁外板８２１にビスを締付けるようにしても良い。
【０１５９】
そして、８２２ｂが支持基板８２２の側部に一体に形成された側壁外板固定部であり、リッド８１４の側壁外板８２１と当接し、ビスにより側壁外板８２１に固定される。
【０１６０】
このビスを外すことにより、支持基板８２２を外板８２１から離すことで、支持基板８２２に固定された取付けベース８３８及びこの取付ベース８３８に取付けられた音量調節つまみ８２６等がリッド８１４の側壁外板８２１より離脱可能となり、次に支持基板８２２をリッド８１４の内側へ横移動することで支持基板８２２に取付けられた全ての構成要素をリッド８１４の側壁外板８２１より外すことができる。
【０１６１】
一方、全ての構成要素が取付けられた支持基板８２２を取付けるときは、取付けベース露出用開口穴８３９に取付けベース８３８を挿入するように支持基板８２２を横移動し、取付けベース露出用開口穴８３９に取付けベース８３８を嵌合し、支持基板８２２の側壁外板固定部８２２ｂとリッド８１４の側壁外板８２１との間をビス止めする。
【０１６２】
支持基板８２２を外し、スピーカ、音量調節つまみ８２６等を取外した後は、取付けベース露出用開口穴８３９に合致した穴うめ用凸部を有する穴うめ板（図示せず）を、支持基板８２２を固定していたビスによりリッド８１４の側壁外板８２１に固定する。これにより、取付けベース８３８を取除いてできた開口部を塞ぎ、ケース８１０としてのみ使用することができる。
【０１６３】
すなわち、支持基板８２２に取付けられている振動板１１０、振動付与部１２０等からなるスピーカ、音響用アンプ８３２、電池ケース８３１、音量調節部８２５等をスピーカとして長期間使用しないときに取外して、ケースのみとして使用することで、ケースの収納空間を拡げて使える。また重量を軽くして使用することができる。
【０１６４】
また、上述したように振動板１１０とケース本体８１３、リッド８１４の外板８２０，８２１とも同材料（質）としているので、材料の種類を増やすことなく、材料の管理を容易にするとともに加工方法、加工装置を統一でき、安価に提供することができる。
【０１６５】
また、スピーカ装置を新しいものや異なる仕様、型式のものと容易に交換することができる。さらには、スピーカ等が故障したときやメンテナンスの際には、振動板１１０、振動付与部１２０等からなるスピーカ、音量調節つまみ８２６等を有する支持基板８２２ごと取外して新しいものと交換するとか、サービスステーションに送って点検、修理を受けることができる。
【０１６６】
また、支持基板８２２を取外して振動板１１０、振動付与部１２０等からなるスピーカを取外した場合においてケース８１０内への雨水等の浸入を嫌う際には、シール板８３７をスライドして透孔８１２を常時閉じておけば良い。
【０１６７】
以上の構成を有するケース８１０は、前述の第４実施形態にかかるケース４と同様に、パソコンからの音響信号を受けてパソコン収納ケースとして音楽や音声を流すことも考えられる。
【０１６８】
あるいは、エステやメークの実演時に解説や宣伝を収録した音声再生機器と接続してエステやメーク用具を収納していたエステ用具やメーク用具収納ケースとしてのケースから、解説や宣伝広告用の音声を流すようにしても良い。
【０１６９】
あるいは、ケースに収納して持ち込んだＣＤプレーヤーと接続し、例えばダンス練習場に借用した会場の一角に、あるいは会場の四隅に複数のケース８１０を置いて音楽を流すようにしても良い。
【０１７０】
なお、上述した第８実施形態にかかるケースの変形例として、前記透孔８１２から雨水等の混入を嫌う場合には、外板８２１側に透孔８１２を明ける代わりに前記のカバー８１９に透孔を明け、このカバー８１９に設けた透孔に対面して振動板１１０を配し、この振動板１１０の外側即ち、リッド８１４の外板８２１側に振動付与部１２０が接合され固定するようにする構造が考えられる。
【０１７１】
この場合は、スピーカの使用に際してリッド８１４を開けて用いる。
【０１７２】
また、音波を通す透孔を、リッド８１４の外板８２１に明けるとともに前記のカバー８１９に明け、振動板１１０からの音波をリッド８１４の外板８２１に空けた透孔８１２およびカバー８１９に明けた透孔から放出し、リッド８１４を明けた際には、リッド８１４の前面、後面の両方から音が流れるようにしても良い。
【０１７３】
さらに透孔８１２をリッド８１４の外板８２１の上部中央すなわち、リッド８１４を閉じたときの取っ手８１７の近傍に明け、振動板１１０、振動付与部１２０、音響用アンプ８３２、電池ケース８３１等を中央部に配してケース８１０に収納物が無くケース内部が空のときに取っ手８１７を中心にした左右の重量に片寄りがないようにし、持ち易くしても良い。
【０１７４】
なお、振動板等に第２実施形態にかかる薄型フラットスピーカ装置２を用い、ケース本体８１３の外板８２０、リッド８１４の外板８２１を第２実施形態にかかる薄型フラットスピーカ装置２の振動板２１０と同じ材料（質）のものを用いても良い。この場合、ケースの軽量化の点では、前述のケース８１０に対して多少劣るが、強度の点で優れたケースとすることができる。
【０１７５】
ケース８１０に化粧品を収納して化粧品セールスにケース８１０を用いる場合、化粧品が詰められた容器を収納、取出し容易な形状とし、容器を押える中蓋やバンドあるいは仕切を設ける等の他、ケース８１０のリッド８１４の外板８２０，８２１を形成している素材として独立気泡の低発泡ポリエチレンでできた芯材１１１と該芯材１１１の表裏に鏡面板あるいは鏡面仕上げしたアルミ薄板やステンレス薄板の面材１１２，１１３を接合した鏡面板あるいは鏡面仕上げの金属と低発泡ポリエチレンの積層複合板を用いて、リッド８１４の内外両表面あるいは内側表面を鏡として用いることができるように成しても良い。そして、内側表面のみ鏡として用いることができるように成した場合は、リッド８１４の外側表面に、各種の色のレザーあるいは布等を貼り、ケース８１０の外観はカラーレザーあるいは布貼りのケースとすることができる。
【０１７６】
また、ケース本体８１３とリッド８１４の全ての外板８２０，８２１を前記の積層複合板で形成し、ケース本体８１３とリッド８１４の全ての面を鏡として用いることを可能にした上で、ケース８１０の全ての面から選択した面を鏡とし、他の面に前述のようにレザーあるいは布等を貼ることで外板８２０，８２１を鏡として用いつつデザインの自由度を増すこともできる。そして、ケース８１０を化粧品収納ケースとして用い、セールス時のエステやメーク等の実演に際し、音声を流したり、解説や宣伝広告用の音声あるいはＢＧＭ等音楽を流したりすることに利用でき更に利便性を向上した化粧品セールス用ケース８１０とすることもできる。
【０１７７】
続いて、本発明の第９実施形態に係るケース８５０について説明する。なお、図面に関しては、図２４、図２５、図２６が第９実施形態に対応している。
【０１７８】
このケース８５０は、図２４に示すようにアルミニウム等でできたケース８５０の外表面８５１を形成する外板８２１の少なくとも一部に、ケース８５０内で発生させた音波を通す透孔８５２が明けられ、この透孔８５２の内側に対面して配置される音源部には、前述の第８実施形態の音源部である振動板１１０、振動付与部１２０に替えて、コーン型スピーカ装置８５３（図２６参照）を用いている。
【０１７９】
ケース８５０自体は十分な強度を保っている。これは、各縁補強枠と各外板とが互いにしっかりと結合しているためである。具体的には、縁補強枠８４０と外板８２１とがカシメ８４０ａによりしっかりと固定されている。すなわち、外板８２１は芯材１１１が樹脂で表裏がアルミ薄板１１２，１１３であり、縁補強枠８４０がアルミのため、縁補強枠８４０と外板８２１の結合部をケース内側からダイス等でプレスすると、この結合部がカシメられ、両者がしっかりと連結される。また、縁補強枠８４０は内側と外側で断面方向の長さが異なり、外側が内側より長いのでカシメ８４０ａが縁補強枠８４０の外側で覆われ、外板８２１のカシメによる歪が外側に及ばないとともにケース外部から見えず、ケースの外観を損なうことがない。なお、ケース本体側、リッド側の両開口縁補強枠８４１，８４２と外板８２０，８２１は、コーナーピースを介してリベット固定し、これらの間もしっかりと結合されている。
【０１８０】
透孔８５２はコーン型スピーカ装置８５３のコーン部と対応するように全体で円形状に穿設されている。また、音量調節つまみ８２６及びパイロットランプ８２７は第８実施形態と異なり取っ手８１７側の外板８２１に備わっている。そして、側方の外板８２１には外部マイク入力端子８３４及びＡＣ電源入力端子（ＡＣ１００Ｖ用の電源端子）８３３が備わっている。
【０１８１】
また、ヒンジ８１５には、第８実施形態と同様にヒンジ８１５のメール、フィメールの対向する面であるヒンジストッパ面８１５ａ，８１５ｂが形成され、リッド８１４を開いた状態で角度が９０°を若干超えた位置を保つようになっている。
【０１８２】
なお、第９実施形態の場合、コーン型スピーカ装置８５３、音響用アンプ８３２、電池ケース８３１、音量調節部８２５、パイロットランプ８２７が支持基板８２２に直接取付けられている。一方、ＡＣ電源入力端子８３３、外部マイク入力端子８３４、コネクタを形成しているソケット（図外）と接続されるピン端子コネクタ８２８ａはリッド８１４の側壁外板８２１に取付けられている。
【０１８３】
また、ＡＣ電源入力端子８３３、外部マイク入力端子８３４、ピン端子コネクタ８２８ａに至るまでの配線８５５がリッド８１４の外板８２１に固定されている保護用カバー８２８ｂの内側に設けられている。
【０１８４】
この保護用カバー８２８ｂは、後述するコーン型スピーカ装置８５３、音響アンプ８３２、電池ケース８３１、音量調節部８２５、パイロットランプ８２７、ジャック８２９が取付けられている支持基板８２２をケース８５０から取外した際にケース８５０のリッド８１４に残っているＡＣ電源入力端子８３３、外部マイク入力端子８３４、ピン端子コネクタ８２８ａ及びこれら端子からピン端子コネクタ８２８ａに至るまでの配線８５５がケース８５０内に収容されるものと当接しないように保護するためのものである。
【０１８５】
音量調節つまみ８２６は、音量調節部８２５から出ている音量調節軸（音量調節つまみ８２６の軸）８２６ａに対し、抜き差し可能に設けられている。また、音量調節軸８２６ａは、リッド８１４の外板８２１より突出しており、音量調節軸８２６ａに差し込み固定される音量調節つまみ８２６がリッド８１４の外板８２１より外に露出している。なお、音量調節軸８２６ａの周方向及び音量調節つまみ８２６の周方向に４つの凸条部８２６ｂ及びこれに対応するキー溝状スリットを等間隔に設けて両者が嵌合している。これによって、音量調節つまみ８２６と音量調節軸８２６ａとが着脱自在かつ両者一体に回動するようになっている。しかしながら、この凸条部８２６ｂとキー溝状スリットの代わりに音量調節軸８２６ａには、外周全体に亘って軸長手方向に沿って多数の山型突起が一定間隔で形成され、音量調節つまみ８２６には全内周に亘ってこの突起に対応するスリットが形成され、両者が嵌合し、両者一体に回動するようにしても良い。
【０１８６】
なお、音量調節軸８２６ａを有する音量調節部８２５、パイロットランプ８２７は支持基板８２２に取付けられ支持基板８２２を外すとともに外れるようになっている。
【０１８７】
一方、パイロットランプ８２７は、リッド８１４の外板８２１に明けられた穴よりリッド８１４の外板８２１の外側すなわちケース外側に露出している。
【０１８８】
リッド側開口縁枠８４２には凹溝８４２ａ（図２５参照）が形成され、ケース本体側開口縁補強枠８４１には凸部８４１ａが形成されているので、リッド８１４を閉めたとき、リッド８１４がケース本体８１３に密着するようになっている。
【０１８９】
一方、支持基板８２２の前記保護用カバー８２８ｂに対応する位置には、支持基板８２２の切欠き８２２ａが設けられている。この切欠き８２２ａを設けたことで、音量調節軸８２６ａ、パイロットランプ８２７の移動量＋αの寸法Ａ−Ａの隙間（図２６参照）が設けられ、後述の支持基板８２２を押し下げて、前記音量調節軸８２６ａ、パイロットランプ８２７をリッド８１４の内側に動かしてリッド８１４の外板８２１より抜き去る際に、支持基板８２２が保護用カバー８２８ｂに当接しないようになっている。そして、支持基板８２２に取付けられているコーン型スピーカ装置８５３、音響アンプ８３２、電池ケース８３１、音量調節部８２５、音量調節軸８２６ａ、パイロットランプ８２７から成るスピーカ部をケース８５０から外す際には、まず、支持基板８２２から、ビス固定されているカバー８１９を取外し、配線やコネクタを露出し、コネクタのピン端子コネクタ８２８ａと図外のソケットの接続を外し、リッド８１４の外板８２１から外に突出した音量調節つまみ８２６を音量調節軸８２６ａから抜き去って外す。その後、支持基板８２２とリッド側壁外板８２１との間をビス固定しているビスを外し、支持基板８２２を下方に移動させ、音量調節軸８２６ａ、パイロットランプ８２７をリッド８１４の外板８２１からリッド８１４の内側に抜いた後、支持基板８２２を、リッド８１４の内側を横方向に移動させて完了する。このように第９実施形態においてもスピーカ等の取り外し作業を簡単に行うことができる。
【０１９０】
なお、スピーカ等を支持基板８２２と共に取外した後の音量調節軸８２６ａ、パイロットランプ８２７の穴は、ゴム（ラバー）等の穴うめ部材であるグロメット（図外）を挿入することで確実に覆うことができる。
【０１９１】
また、スピーカ等とともにを取外した支持基板８２２にカバー８１９をビスで再び固定することで、コーン型スピーカ装置８５３、音響用アンプ８３２、音量調節部８２５、配線等の露出をカバーし、これらの保管時にこれらを保護することも可能である。
【０１９２】
その際、音量調節軸８２６ａに音量調節つまみ８２６を差し込んで保管しておく。
【０１９３】
図２５は、ケース８５０にパソコンＰＣ、携帯電話（またはリモコン）ＳＰ、及びＡＣ電源用アダプタＡＤを収容し、ケース８５０のリッド８１４を開けた状態を示している。ケース８５０のケース本体８１３内部には発泡ウレタンでできた機器固定と機器保護を図る部材８７１が嵌め込まれ、パソコン本体収容凹部８７１ａ、携帯電話収容用凹部８７１ｂ、及びＡＣ電源用アダプタ収容凹部８７１ｃが適所に形成されている。そして、パソコン本体収容凹部８７１ａには、収容されたパソコンＰＣのリッド開閉ロック部ＨＬ及び側方に対応する位置にパソコンリッド開閉用操作凹部（間隙）８７１ｄが形成され、パソコンＰＣをケース８５０に収容した状態でパソコン入出力端子に接続コードＣＢを接続するための凹部（間隙）８７１ｅが形成されている。これによって、パソコンＰＣのリッド開閉ロック部ＨＬを容易に操作し、パソコンＰＣのリッドを開閉することができるとともに、接続コードＣＢを介してパソコンＰＣとリッド８１４の音響用アンプ８３２とを接続することが可能となる。
【０１９４】
また、リッド８１４の側壁外板８２１に備わったＡＣ電源入力端子８３３及び外部マイク入力端子８３４は、図示するようにリッド開放時でも使用可能となっており、ケース８５０の利用性を高めている。さらに、リッド８１４の上方の外板８２１に備わった音量調節つまみ８２６及びパイロットランプ８２７は、リッド８１４の開放時においてケース８５０の載置面よりかなり上方に位置するようになり、音量調節やスピーカの動作確認を行い易くなっている。
【０１９５】
一方、リッド８１４の内側には大きめのノートや書類等を入れる収納部８７２が保持ベルト８７２ａを介して適当な開口度合いを保ちながら設けられている。そして、収納部８７２の側面にはペンホルダ８７３及びＣＤ、フロッピー（登録商標）等の各種ケース、カード入れとして用いる２つの収納部８７４，８７５がさらに備わり、ケース使用上の利便性を高めている。
【０１９６】
なお、第９実施形態の他の構造は、第８実施形態の構造と同じであるため、図面には同一の符号を付して説明を省略する。
【０１９７】
また、この第９実施形態の作用効果についても、第８実施形態の作用効果のうち、ケース本体８１３の外板８２０、リッド８１４の外板８２１の材料（質）と振動板１１０の材料（質）と同じにして、材料の種類を増やすだけでなく、材料の管理を容易にするとともに加工方法、加工装置を統一できるという作用効果を除いて第８実施形態と同様の作用効果を得ることができる。
【０１９８】
また、以上の構成を有するケース８５０は、前述の第４実施形態にかかるケース４、第８実施形態にかかるケース８１０と同様に、パソコンからの音響信号を受けて音楽や音声を流したり、エステやメークの実演時に解説や宣伝を収録した音声再生機器と接続してエステやメーク用具の解説や宣伝広告用の音声を流すことができる。また、ＣＤプレーヤーと接続し、例えばダンス練習場の一角や四隅に置いて音楽を流すことも可能である。
【０１９９】
また、この第９実施形態では、市場に多種類で、かつ、多数出回っているコーン型スピーカ装置８５３を用いることで、スピーカ付きケースとして、より安価なケースあるいは音質のより良いケース等を選択して提供することが容易となる。
【０２００】
なお、第８実施形態の変形例と等価的な変形例が第９実施形態についても考えられる。
【０２０１】
続いて、本発明の第１０実施形態に係るケース８５０について説明する。なお、図２７が第１０実施形態に対応する図面である。
【０２０２】
第１０実施形態のケース８５０に関しては、コーン型スピーカ装置８５３、音響用アンプ８３２、電池ケース８３１、音量調節部８２５、パイロットランプ８２７、音量調節つまみ８２６、ＡＣ電源入力端子８３３、外部マイク入力端子８３４、ジャック８２９が支持基板８２２側に取付けられている。
【０２０３】
このうち、音量調節軸（音量調節つまみの軸）８２６ａ、音量調節つまみ８２６、パイロットランプ８２７はリッド８１４の上壁の外板８２１から外方へ露出し、音量調節部取付けベース８７６を介して支持基板８２２に取付けられている。また、ＡＣ電源入力端子８３３、外部マイク入力端子８３４はリッド８１４の側壁の外板８２１から外方へ露出し、外部入力端子取付けベース８７７（図２８参照）を介して支持基板８２２（図２８には図示せず）に取付けられている。
【０２０４】
前記両取付けベース８７６，８７７はそれぞれリッド８１４の外板８２１に明けられた音量調節部露出用開口部８７６ａに、外部入力端子露出用開口部８７７ａに挿入されており、外部入力端子取付けベース８７７側の開口部である外部入力端子露出用開口部８７７ａには、音量調節部取付けベース８７６とともに前記音量調節つまみ８２６、パイロットランプ８２７、音量調節軸８２６ａをリッド８１４の上部の外板８２１からリッド内側に抜く際に、前記両取付ベース８７６，８７７が取付けられた支持基板８２２を下方に動かすためのスペースとなるスライド溝８７８（図２７、図２８参照）が設けられている。
【０２０５】
このスライド溝８７８は、音量調節つまみ８２６、パイロットランプ８２７を音量調節部取付ベース８７６とともに音量調節部露出用開口部８７６ａからリッド８１４の内側へ抜き取るのに必要な移動量を外部入力端子取付けベース８７７の下方に確保するもので、外部入力端子露出用開口部８７７ａを、外部入力端子取付けベース８７７に前記移動量を加えた大きさに設けることで形成されるものである。
【０２０６】
スライド溝８７８を含む外部入力端子露出用開口部８７７ａ、音量調節部露出用開口部８７６ａとも、左右の縁がリッド８１４の縁補強枠８４０、リッド側開口縁補強枠８４２に、上下の縁が断面コ字形状の開口縁材８７９に囲まれて形成されている。
【０２０７】
また、この開口縁材８７９は、断面コ字形状の内にそれぞれリッド８１４の側壁の外板８２１、リッド８１４の上壁の外板８２１が嵌入されるとともに、開口縁材８７９の端部がリッド８１４の縁補強枠８４０、リッド側開口縁補強枠８４２に固定ピース８７９ａを介してリベットに固定されている。
【０２０８】
前記のように構成された第１０実施形態において、コーン型スピーカ装置８５３、音響用アンプ８３２等を支持基板８２２と共に外すときは、まず支持基板８２２とリッド８１４の側壁の外板８２１との間を固定しているビスを外し、支持基板８２２を下方に押し下げる。このとき外部入力端子露出用開口部８７７ａには、スライド溝８７８が開口しているため、外部マイク入力端子８３４、ＡＣ電源入力端子８３３等が設けられているリッド８１４の側壁の外板８２１から外へ露出している外部入力端子取付けベース８７７の下方へのスライド（図２８の矢印参照）を許容し、リッド８１４の上壁の外板８２１から外へ露出している音量調節部取付ベース８７６とともに、音量調節部取付ベース８７６に設けられている音量調節つまみ８２６、パイロットランプ８２７等をリッド８１４の上壁の外板８２１に開口された音量調節部露出用開口部８７６ａからリッド８１４の内側へ抜き取ることができる。
【０２０９】
次に、支持基板８２２を横方向に動かし、外部入力端子取付けベース８７７を外部入力端子露出用開口部８７７ａからリッド８１４の内側に抜き取り、コーン型スピーカ装置８５３等全てのスピーカ装置の構成要素が取付けられた支持基板８２２を取外す。
【０２１０】
コーン型スピーカ装置８５３等を支持基板８２２と共に取外した後の前記両開口部８７６ａ，８７７ａには、穴うめ部材８８０（図２９参照）に形成された開口部挿入凸起８８０ａ，８８０ｂをそれぞれ挿入し、支持基板８２２とリッド８１４の側壁の外板８２１とを固定していたビスを再び用いてリッド８１４の側壁の外板８２１へ穴うめ部材８８０を固定する。前記音量調節部露出用開口部８７６ａに挿入される開口部挿入凸起８８０ａは、この音量調節部露出用開口部８７６ａと同じ形状、大きさに形成され、前記外部入力端子露出用開口部８７７ａに挿入される開口部挿入凸起８８０ｂは、スライド溝８７８を含む外部入力端子露出用開口部８７７ａと同じ形状、大きさに形成されている。
【０２１１】
この穴うめ部材８８０の両凸起８８０ａ，８８０ｂが前記両開口部８７６ａ，８７７ａに挿入されることで前記両開口部８７６ａ，８７７ａを完全に塞ぐことができる。
【０２１２】
上述したように、第１０実施形態にかかるケース８５０は、スライド溝８７８を設けたことで、音量調節部取付けベース８７６を下げるとき、外部入力端子取付けベース８７７も共に下方にスライドできるように外部入力端子取付けベース８７６がリッド８１４の側壁の外板８２１に明けられたスライド溝８７８内を上下にスライド可能になっている点に特徴がある。
【０２１３】
また、上述の第８実施形態にかかるケース８１０、第９実施形態にかかるケース８５０と同様に、第１０実施形態にかかるケース８５０においてもスピーカを使わずケースとしてのみ使うとき、スピーカ等を補修するとき、またはスピーカを交換するときには、コーン型スピーカ装置８５３、音響用アンプ８３２等が取付けられた支持基板８２２を、ケース８５０のリッド８１４からケース８５０上方に突出した音量調節つまみ８２６、パイロットランプ８２７等と、ケース８５０側方に突出したＡＣ電源入力端子８３３、外部マイク入力端子８３４等と共に取外す。
【０２１４】
なお、支持基板８２２を取外した後に生じるリッド８１４の前記両開口部８７６ａ，８７７ａには前記の穴うめ部材８８０以外に、図２９（ｂ）に示す別部品の穴うめ板８８１を当該両開口部８７６ａ，８７７ａに嵌合してこれを塞ぐようにしても良い。この場合は、穴うめ板８８１をスプリング８８２ａ，８８２ｂで付勢することで外れないようにするのが好ましい。
【０２１５】
なお、この第１０実施形態の作用効果についても、第９実施形態の作用効果と同様に、第８実施形態の作用効果のうちケース本体８１３の外板８２０、リッド８１４の外板８２１の材料（質）と振動板１１０の材料（質）と同じにして、材料の種類を増やすだけでなく、材料の管理を容易にするとともに加工方法、加工装置を統一できるという作用効果を除いて第８実施形態と同様の作用効果を得ることができる。
【０２１６】
また、この第１０実施形態においても、第９実施形態と同様に市場に多種類かつ多量に出回っているコーン型スピーカ装置８５３を用いるので、より安価なケースあるいは音質のより良いケース等を選択して提供することできる。
【０２１７】
そして、以上の構成を有する第１０実施形態のケース８５０は、前述の第４実施形態にかかるケース４、第８実施形態にかかるケース８１０、第９実施形態にかかるケース８５０と同様に、パソコンを介して音楽や音声を流したり、エステやメークの実演時に解説や宣伝広告用の音声を流したり、ＣＤプレーヤーと接続して例えばダンス練習場において音楽を流すことができる。
【０２１８】
本発明は、以上説明した実施形態の他にも種々の利用が可能な薄型フラットスピーカー装置である。例えば、自転車やバイクのフレームに本発明に係る薄型フラットスピーカー装置を利用できる。その場合、振動板をフレームとし、振動板をボックス閉断面に結合し、該ボックス閉断面内に振動付与部を設ける。また、自転車のように電源のない場合は、電池を電源とし、電池ボックスをフレーム部に併設すると良い。また、本発明の自立型フラットスピーカー装置の支持台を、自転車やバイクのハンドルまたはフレームを挟んで取付け可能としたクランプ形状として、該クランプ部を蝶ナット等により締め付けて自転車やバイクのハンドルまたはフレームに着脱可能な薄型フラットスピーカー装置とすることもできる。
【０２１９】
【発明の効果】
以上説明したように、本発明の請求項１または請求項２にかかる薄型フラットスピーカー装置は、振動板の表裏がアルミニウムまたはステンレススチールであり、芯材が独立気泡の低発泡ポリエチレンであっても表裏方向の貫通孔が無く、平滑で美観があり、性能の劣化を防ぎかつ剛性が高い上、接着性が良い。また、芯材は独立気泡の低発泡ポリエチレンであり、独立の気泡孔を有し低密度で疎となっており、軽量で剛性も高い上、表裏のアルミニウムまたはステンレススチールの波打ちを抑えフラットで滑らかな表面を形成している。これにより、振動板全体としては全体としては、密度が低く、軽量かつ、曲げ、剛性が高い構造体で、表裏方向の貫通孔がないという機械的性質を有しているので高性能となる。
【０２２０】
また、振動板にアルミニウムまたはステンレススチールと低発泡ポリエチレンを使用しているので材料を容易に得ることができ、安価な薄型フラットスピーカー装置となる。
【０２２１】
また、本発明の請求項３にかかる掲示板には、照明手段側に振動板のアルミニウムの面材またはステンレススチールの面材が面しているため、照明手段の光をアルミニウムの面材またはステンレススチールの面材が反射し、透光性を有した掲示板からフラットで均一な反射間接光が掲示物に照射され見る者に美観を起こさせるとともに、照明手段を内蔵しているため掲示板の外部に照明手段を設けなくても良く、外部に突起物のない外観がシンプルであり、取扱い性に優れるものとなる。また、裏面板に請求項１又は請求項２に記載の薄型フラットスピーカー装置の振動板を使用しているので、音は掲示板の裏面から放音され、振動板の放音面の前に掲示物がないため良い音を発生することができる。また、請求項１または請求項２の薄型フラットスピーカー装置と同様に、材料が容易に得られ安価で剛性が高く堅牢な掲示板となる。また、振動板の表裏には表裏方向の貫通孔がないという構成を有している。そのため、掲示パネル等に設けたスピーカー装置の内外で温度差が生じる等により空気の移動が起こったとき、ゴミ、ホコリが従来の振動板のように貫通孔にたまって汚れの原因となるのを防ぐ。
【０２２２】
また、本発明の請求項４にかかるケースは、上述の請求項に記載の薄型フラットスピーカー装置や掲示板と同様に、材料が容易に得られ安価で剛性が高く堅牢なケースとなる。また、振動板をケースの外板や内底板と兼用でき、堅牢で良い音を発するケースになる。
【０２２３】
また、本発明の請求項５または請求項６にかかる自立型フラットスピーカー装置は、上述の請求項に記載の薄型フラットスピーカー装置や掲示板、ケースと同様に、材料が容易に得られ安価で剛性が高く堅牢な自立型フラットスピーカー装置となる。また、フレームが振動板の周囲を覆い見栄えが良い。
【０２２４】
また、本発明の請求項７または請求項８にかかるディスプレイ装置は、上述の請求項に記載の薄型フラットスピーカー装置や掲示板、ケース、自立型フラットスピーカー装置と同様に、材料が容易に得られ安価で剛性が高く堅牢なディスプレイ装置となる。また、フレームが振動板の周囲を覆い見栄えが良い。
【０２２５】
また、本発明の請求項９または請求項１０にかかる壁取付型フラットスピーカー装置は、上述の請求項に記載の薄型フラットスピーカー装置や掲示板、ケース、自立型フラットスピーカー装置、ディスプレイ装置と同様に、材料が容易に得られ安価で剛性が高く堅牢な壁取付型フラットスピーカー装置となる。また、フレームが振動板の周囲を覆い見栄えが良い。さらに、フレームを介して薄型フラットスピーカー装置を壁に容易に取り付けることができる。
【０２２６】
また、本発明の請求項１１に記載のケースは、スピーカ装置部分を材料容易に得られ安価で剛性が高く堅牢な薄型スピーカとすることができ、また、ケース内側に設けられケース外板に明けられた透孔を介して音波を外部に放音するものであるためスピーカ装置部を保護することができる。
【０２２７】
また、スピーカ装置部分を、スピーカ装置部分を取付けた支持基板とともに脱着できるため、スピーカとして使用しないときは取外してケースとして収納部分を拡げて、また軽量化して使用することができる。
【図面の簡単な説明】
【図１】本発明の第１実施形態にかかる薄型フラットスピーカー装置の断面図である。
【図２】図１の薄型フラットスピーカー装置に使用する振動板の断面斜視図である。
【図３】本発明の第２実施形態にかかる薄型フラットスピーカー装置の断面図である。
【図４】図２の薄型フラットスピーカー装置に使用する振動板の断面斜視図である。
【図５】本発明の第３実施形態にかかる掲示板を一部透視状態で示した斜視図である。
【図６】図５の掲示板のＶＩ−ＶＩ断面図である。
【図７】図５の掲示板のＶＩＩ−ＶＩＩ断面図である。
【図８】図５の掲示板のＶＩＩＩ−ＶＩＩＩ断面図である。
【図９】本発明の第４実施形態にかかるケースの斜視図である。
【図１０】図９のケースのＸ−Ｘ断面図である。
【図１１】図９のケースを開いた状態で示す斜視図である。
【図１２】本発明の第５実施形態にかかる自立型フラットスピーカー装置の斜視図である。
【図１３】図１２の自立型フラットスピーカー装置のＸＩＩＩ−ＸＩＩＩ断面図である。
【図１４】図１２の自立型フラットスピーカー装置のＸＩＶ−ＸＩＶ断面図である。
【図１５】本発明の第６実施形態にかかるディスプレイ装置及び第７実施形態にかかる壁取付型フラットスピーカー装置の斜視図である。
【図１６】図１５のディスプレイ装置のＸＶＩ−ＸＶＩ断面図である。
【図１７】図１５のディスプレイ装置のＸＶＩＩ−ＸＶＩＩ断面図である。
【図１８】図１５に示したディスプレイ装置の変形例を示す、図１７に対応する断面図である。
【図１９】図１５の壁取付型フラットスピーカー装置の、ＸＶＩＩＩＩ−ＸＶＩＩＩＩ断面図である。
【図２０】図１５の壁取付型フラットスピーカー装置のＸＸ−ＸＸ断面図である。
【図２１】本発明の第８実施形態にかかるケースの斜視図である。
【図２２】図２１に示したケースのＳＡ−ＳＡ断面図である。
【図２３】図２１のケースに使用するカバーの斜視図である。
【図２４】本発明の第９実施形態にかかるケースの斜視図である。
【図２５】図２４に示したケースのリッドを開いた状態で示す斜視図である。
【図２６】図２４に示したケースのＳＢ−ＳＢ断面図である。
【図２７】本発明の第１０実施形態にかかるケースの、図２６に対応する断面図である。
【図２８】図２７における外部マイク入力端子取付けベースの取付け状態を詳細に示した断面図である。
【図２９】図２８の外部マイク入力端子取付けベースの代わりに嵌合させる穴うめ部材や穴うめ板を嵌合状態で示した図である。
【符号の説明】
１，２　　薄型フラットスピーカー装置
３　　掲示板
４　　ケース
５　　自立型フラットスピーカー装置
６　　ディスプレイ装置
７　　壁取付型フラットスピーカー装置
１１０　　振動板
１１１　　芯材
１１２，１１３　　面材
１１４，１１５　　塗装層
１１６，１１７　　接着層
１２０　　振動付与部
１２０ａ　　配線
１２１　　ボビン
１２２　　ボイスコイル
１２３　　磁気ギャップ
１２４　　板バネ
１２５　　ハウジング
１２５ａ　　底板
１２５ｂ　　取付フランジ
１２５ｃ　　隙間
１２６　　永久磁石
１２７　　鉄板
１２８　　ダンパー
１２９　　ジャック
１２９ａ　　リード線
１３０　　音響用アンプ
２１０　　振動板
２１１　　芯材
２１２，２１３　　面材
２１４，２１５　　接着層
２２０　　振動付与部
２２１，２２２　　セラミックス
２２３　　真鍮電極板
２２４　　振動伝達部
２２５　　ダンパウェイト
２３１　　プラグ
２３２　　配線
３１０　　掲示部
３１１，３１２　　支持パネル
３１３　　掲示パネル
３１３ａ　　前側端
３１３ｂ　　カバー枠挿入溝
３２０　　蛍光灯
３２１　　アクリル板
３２２　　イノズキャンセラー
３３０　　フレーム
３３１　　支持枠
３３２　　カバー枠
３３２ａ　　後縁部
３３２ｂ　　カバー枠挿入溝
３３２ｃ　　掲示パネル挿入溝
３３３　　ヒンジ
３３３ａ　　スプリング
３３４　　リッド
３３５　　前縁部板
３３５ａ　　側縁部
４１０　　ケース本体
４１２　　ウレタン
４１２ａ　　収納凹部
４２０　　リッド
４２１　　リッド内底板
４２２　　ウレタン
４２３　　外板
４２３ａ　　前面板
４２３ｂ　　側面板
４２４　　縁補強枠
４２５　　外板
４２６　　コーナ補強ピース
４２７　　リッド内空所
４３０　　ヒンジ
４４０　　取っ手
４５０　　掛止具
５１０　　フレーム
５２０　　支持台
５２１　　支持接続部材
５３０　　アンプ
５３１　　ジャック
５４０　　外部音響機器
５４１　　接続コード
６１０　　薄型ディスプレイ
６２１　　フレーム
６２３　　弾性体
６２４　　フレーム
６３０　　弾性体
６４０　　ディスプレイ支持台
６４１　　支持脚
７１０　　フレーム
７１１　　挟持部
７１２　　壁取付用延在部
７１３　　振動吸収用弾性体
７１４　　振動吸収用弾性体
７３０　　凹所
８１０　　ケース
８１１　　外表面
８１２　　透孔
８１３　　ケース本体
８１４　　リッド
８１５　　ヒンジ
８１５ａ，８１５ｂ　　ヒンジストッパ面
８１６　　回動軸
８１７　　取っ手
８１８　　掛け具
８１９　　カバー
８１９ａ　　ビス孔
８２０　　外板
８２１　　外板
８２２　　支持基板
８２２ａ　　切欠き
８２２ｂ　　側壁外板固定部
８２２ｃ　　端縁
８２３　　押え部材
８２４　　電池
８２５　　音量調節部
８２６　　音量調節つまみ
８２６ａ　　音量調節軸
８２６ｂ　　凸条部
８２７　　パイロットランプ
８２８　　配線
８２８ａ　　ピン端子コネクタ
８２８ｂ　　保護用カバー
８２９　　ジャック
８３１　　電池ケース
８３２　　音響用アンプ
８３３　　ＡＣ電源入力端子
８３４　　外部マイク入力端子
８３５　　振動板支持ブラケット
８３６　　支持弾性体
８３７　　シール板
８３７ａ　　ハンドル
８３８　　取付けベース
８３８ａ　　外板端
８３８ｂ　　固定ピース
８３９　　取付ベース露出用開口穴
８４０　　縁補強枠
８４０ａ　　カシメ
８４１　　ケース本体側開口縁補強枠
８４１ａ　　凸部
８４２　　リッド側開口縁補強枠
８４２ａ　　凹溝
８４３　　コーナ接続ピース
８４６　　スペーサ
８４７　　放音孔
８４９　　脚
８５０　　ケース
８５１　　外表面
８５２　　透孔
８５３　　コーン型スピーカ装置
８５５　　配線
８７６　　音量調節部取付けベース
８７６ａ　　音量調節部露出用開口部
８７７　　外部入力端子取付けベース
８７７ａ　　外部入力端子露出用開口部
８７８　　スライド溝
８７９　　開口縁材
８７９ａ　　固定ピース
８８０　　穴うめ部材
８８０ａ，８８０ｂ　　開口部挿入凸起
８８１　　穴うめ板
８８２ａ，８８２ｂ　　スプリング
ＡＤ　　ＡＣ電源用アダプタ
ＣＢ　　接続コード
ＨＬ　　リッド開閉ロック部
ＰＣ　　パソコン
【図１】
2004064726.tif 000005
【図２】
2004064726.tif 000006
【図３】
2004064726.tif 000007
【図４】
2004064726.tif 000008
【図５】
2004064726.tif 000009
【図６】
2004064726.tif 000010
【図７】
2004064726.tif 000011
【図８】
2004064726.tif 000012
【図９】
2004064726.tif 000013
【図１０】
2004064726.tif 000014
【図１１】
2004064726.tif 000015
【図１２】
2004064726.tif 000016
【図１３】
2004064726.tif 000017
【図１４】
2004064726.tif 000018
【図１５】
2004064726.tif 000019
【図１６】
2004064726.tif 000020
【図１７】
2004064726.tif 000021
【図１８】
2004064726.tif 000022
【図１９】
2004064726.tif 000023
【図２０】
2004064726.tif 000024
【図２１】
2004064726.tif 000025
【図２２】
2004064726.tif 000026
【図２３】
2004064726.tif 000027
【図２４】
2004064726.tif 000028
【図２５】
2004064726.tif 000029
【図２６】
2004064726.tif 000030
【図２７】
2004064726.tif 000031
【図２８】
2004064726.tif 000032
【図２９】
2004064726.tif 000033